(57)【要約】      （修正有）【課題】温調システム全体の運転開始・停止を指示できる全体操作リモコンと同等の機能を確実に実現する温調システムを提供する。【解決手段】温調システムの各リモコン装置５３，５２，５１Ａ〜Ｃの表示部では、温調システム全体に係わる設定を行う全体設定画面２００，２１０，２２０と、室内端末機に係わる設定を行う端末設定画面２０１〜２０３，２１１〜２１２，２２１と、が切り替え可能に表示される。「運転／停止」ボタンは、全体設定画面２００等が表示されるか端末設定画面２０１等が表示されるかに応じ、互いに異なる複数の操作機能を選択的に実現する。これにより、従来構造の全体操作リモコンと同様、「運転／停止」ボタンの操作によって温調システム全体の運転開始・停止を確実に指示することができる。【選択図】図７
2019056495.tif 000002
【特許請求の範囲】
【請求項１】
水を供給する熱源機と、
前記熱源機に設けられ前記熱源機の動作を制御する熱源制御部と、
前記熱源機からの水を熱源として室内の空調を行う室内端末機と、
前記室内端末機と前記熱源機との間を接続する管路に設けられた熱動弁と、
前記熱動弁を制御する熱動弁制御部と、
前記熱動弁制御部又は前記熱源制御部に対し通信可能に接続される、前記室内端末機を操作するためのリモコンと、
を有し、
前記リモコンは、
操作ボタンと、
所望の表示を行う表示部と、
前記表示部を制御する表示制御手段と、
を備え、
前記表示制御手段は、
前記水の温度設定を含む前記温調システム全体に係わる設定を行うための全体設定画面、及び、前記室内端末機の運転開始・停止設定を含む当該室内端末機に係わる設定を行うための端末設定画面、を切替可能に表示するように前記表示部を制御する温調システムにおいて、
前記表示制御手段の制御により、前記表示部が前記全体設定画面を表示しているか前記端末設定画面を表示しているかに応じて、前記操作ボタンに対し、互いに異なる複数の操作機能のそれぞれを選択的に付与する操作機能付与手段を有し、
前記操作機能付与手段は、
前記表示部が前記全体設定画面を表示している場合に、前記操作ボタンに対し、前記温調システム全体の運転開始・停止を指示する機能を付与する
ことを特徴とする温調システム。
【請求項２】
前記操作機能付与手段は、
通常の操作用に予め定められた前記操作ボタンに対する第１操作労力と、前記温調システム全体の運転開始・停止のために予め前記第１操作労力よりも大きな値に定められた前記操作ボタンに対する第２操作労力と、を基準として、前記表示部が前記全体設定画面を表示し、かつ、前記操作ボタンに対し前記第２操作労力以上の操作労力による操作が行われた場合に、当該操作ボタンに対し、前記温調システム全体の運転開始・停止を指示する機能を付与する
ことを特徴とする請求項１記載の温調システム。
【請求項３】
前記表示制御手段は、
前記表示部が前記全体設定画面を表示し、かつ、前記操作ボタンに対し前記第１操作労力以上でかつ前記第２操作労力未満の操作労力による操作が行われた場合には、対応する警告表示を行うように、前記表示部を制御する
ことを特徴とする請求項２記載の温調システム。
【請求項４】
前記操作機能付与手段は、
前記表示部が前記端末設定画面を表示している場合に、前記操作ボタンに対し、少なくとも当該端末設定画面に対応する前記室内端末機の運転開始・停止を指示する機能を付与する
ことを特徴とする請求項１記載の温調システム。
【請求項５】
前記操作機能付与手段は、
通常の操作用に予め定められた前記操作ボタンに対する第１操作労力と、前記温調システム全体の運転開始・停止のために予め前記第１操作労力よりも大きな値に定められた前記操作ボタンに対する第２操作労力と、を基準として、前記表示部が前記端末設定画面を表示し、かつ、前記操作ボタンに対し前記第１操作労力以上前記第２操作労力未満の操作労力による操作が行われた場合に、当該操作ボタンに対し、当該端末設定画面に対応する前記室内端末機の運転開始・停止を指示する機能を付与する
ことを特徴とする請求項４記載の温調システム。
【請求項６】
前記室内端末機は、複数設けられており、
複数の前記熱動弁が、
前記複数の室内端末機と前記熱源機との間をそれぞれ接続する複数の前記管路にそれぞれ設けられており、
前記熱動弁制御部は、複数の前記熱動弁を制御し、
前記リモコンは、
前記複数の室内端末機をそれぞれ操作するために、前記熱動弁制御部又は前記熱源制御部に対し通信可能に接続されており、
前記操作機能付与手段は、
前記表示部が前記端末設定画面を表示し、かつ、前記操作ボタンに対し前記第２操作労力以上の操作労力による操作が行われた場合に、当該操作ボタンに対し、当該リモコンに対応する全ての前記室内端末機の運転開始・停止を指示する機能を付与する
ことを特徴とする請求項５記載の温調システム。
【請求項７】
前記リモコンは、
前記全体設定画面の表示状態及び前記端末設定画面の表示状態と、前記操作ボタンに対し付与されるべき前記複数の操作機能との相関を記憶した記憶手段を備えており、
前記リモコンに設けられた前記操作機能付与手段が、
前記記憶手段に記憶された前記相関を参照して、前記操作ボタンに対し、前記操作機能を選択的に付与する
ことを特徴とする請求項１乃至請求項６の何れか１項に記載の温調システム。
【発明の詳細な説明】
【技術分野】
【０００１】
この発明は、室内端末機を操作するためのリモコンを備えた温調システムに関する。
【背景技術】
【０００２】
従来より、この種のシステムにおいては、特許文献１記載のように、複数の室内端末機をそれぞれ操作（各室内端末機の運転開始・停止設定を含む）するための端末操作リモコンと、温調システム全体に係わる設定（熱源機から供給される水の温度設定を含む）を行うための全体操作リモコンと、を有するものがあった。
【先行技術文献】
【特許文献】
【０００３】
【特許文献１】特開２０１５−１７７５１号公報
【発明の概要】
【発明が解決しようとする課題】
【０００４】
この従来のものにおいては、前記全体操作リモコンと前記端末操作リモコンとが別々に設けられることからリモコンの設置のために広いスペースが必要であり、また複数のリモコンが例えばユーザの住居の壁面に並んで設置されることになるため、その設置状態において外観上の美観を損ねる、という問題があった。
【０００５】
これに対応するために、例えば、前記全体操作リモコンと前記端末操作リモコンとを１つに統合し、その１つのリモコンに、前記全体操作リモコン相当の機能を備えた画面（全体設定画面）と、前記端末操作リモコン相当の機能を備えた画面（端末設定画面）と、を設けることが考えられる。しかしながら、このように１つのリモコンに統合した場合、スペース上の制約により操作ボタンを配置できる数に限りがあり、各操作ボタンによって実現できる機能に限界が生じる。そのため、特に、温調システム全体の運転開始・停止を指示できる上記全体操作リモコンと同等の機能を、何らかの手法で確実に実現する必要があった。
【課題を解決するための手段】
【０００６】
上記課題を解決するために、本発明の請求項１では、水を供給する熱源機と、前記熱源機に設けられ前記熱源機の動作を制御する熱源制御部と、前記熱源機からの水を熱源として室内の空調を行う室内端末機と、前記室内端末機と前記熱源機との間を接続する管路に設けられた熱動弁と、前記熱動弁を制御する熱動弁制御部と、前記熱動弁制御部又は前記熱源制御部に対し通信可能に接続される、前記室内端末機を操作するためのリモコンと、を有し、前記リモコンは、操作ボタンと、所望の表示を行う表示部と、前記表示部を制御する表示制御手段と、を備え、前記表示制御手段は、前記水の温度設定を含む前記温調システム全体に係わる設定を行うための全体設定画面、及び、前記室内端末機の運転開始・停止設定を含む当該室内端末機に係わる設定を行うための端末設定画面、を切替可能に表示するように前記表示部を制御する温調システムにおいて、前記表示制御手段の制御により、前記表示部が前記全体設定画面を表示しているか前記端末設定画面を表示しているかに応じて、前記操作ボタンに対し、互いに異なる複数の操作機能のそれぞれを選択的に付与する操作機能付与手段を有し、前記操作機能付与手段は、前記表示部が前記全体設定画面を表示している場合に、前記操作ボタンに対し、前記温調システム全体の運転開始・停止を指示する機能を付与するものである。
【０００７】
また、請求項２では、前記操作機能付与手段は、通常の操作用に予め定められた前記操作ボタンに対する第１操作労力と、前記温調システム全体の運転開始・停止のために予め前記第１操作労力よりも大きな値に定められた前記操作ボタンに対する第２操作労力と、を基準として、前記表示部が前記全体設定画面を表示し、かつ、前記操作ボタンに対し前記第２操作労力以上の操作労力による操作が行われた場合に、当該操作ボタンに対し、前記温調システム全体の運転開始・停止を指示する機能を付与するものである。
【０００８】
また、請求項３では、前記表示制御手段は、前記表示部が前記全体設定画面を表示し、かつ、前記操作ボタンに対し前記第１操作労力以上でかつ前記第２操作労力未満の操作労力による操作が行われた場合には、対応する警告表示を行うように、前記表示部を制御するものである。
【０００９】
また、請求項４では、前記操作機能付与手段は、前記表示部が前記端末設定画面を表示している場合に、前記操作ボタンに対し、少なくとも当該端末設定画面に対応する前記室内端末機の運転開始・停止を指示する機能を付与するものである。
【００１０】
また、請求項５では、前記操作機能付与手段は、通常の操作用に予め定められた前記操作ボタンに対する第１操作労力と、前記温調システム全体の運転開始・停止のために予め前記第１操作労力よりも大きな値に定められた前記操作ボタンに対する第２操作労力と、を基準として、前記表示部が前記端末設定画面を表示し、かつ、前記操作ボタンに対し前記第１操作労力以上前記第２操作労力未満の操作労力による操作が行われた場合に、当該操作ボタンに対し、当該端末設定画面に対応する前記室内端末機の運転開始・停止を指示する機能を付与するものである。
【００１１】
また、請求項６では、前記室内端末機は、複数設けられており、複数の前記熱動弁が、前記複数の室内端末機と前記熱源機との間をそれぞれ接続する複数の前記管路にそれぞれ設けられており、前記熱動弁制御部は、複数の前記熱動弁を制御し、前記リモコンは、前記複数の室内端末機をそれぞれ操作するために、前記熱動弁制御部又は前記熱源制御部に対し通信可能に接続されており、前記操作機能付与手段は、前記表示部が前記端末設定画面を表示し、かつ、前記操作ボタンに対し前記第２操作労力以上の操作労力による操作が行われた場合に、当該操作ボタンに対し、当該リモコンに対応する全ての前記室内端末機の運転開始・停止を指示する機能を付与するものである。
【００１２】
また、請求項７では、前記リモコンは、前記全体設定画面の表示状態及び前記端末設定画面の表示状態と、前記操作ボタンに対し付与されるべき前記複数の操作機能との相関を記憶した記憶手段を備えており、前記リモコンに設けられた前記操作機能付与手段が、前記記憶手段に記憶された前記相関を参照して、前記操作ボタンに対し、前記操作機能を選択的に付与するものである。
【発明の効果】
【００１３】
この発明の請求項１によれば、熱源機から供給される水（例えば温水又は冷水）が管路を介して室内端末機に導かれ、室内端末機は、その供給された水を熱源として室内の空調（例えば暖房又は冷房）を行う。熱源機の動作は熱源制御部によって制御され、管路に設けられた熱動弁は熱動弁制御部によって制御される。前記室内端末機を操作するために、前記熱動弁制御部又は前記熱源制御部に対し通信可能に接続されるリモコンが設けられる。そして、このリモコンの表示部において、表示制御手段の制御により、前記温調システム全体に係わる設定（前記水の温度設定を含む）を行うための全体設定画面と、前記室内端末機に係わる設定（前記室内端末機の運転開始・停止設定を含む）をそれぞれ行うための端末設定画面と、が切替可能に表示される。これにより、当該温調システム全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【００１４】
このとき、前記のように前記全体操作リモコンに備えられる機能と前記端末操作リモコンに備えられる機能とを両立させるために、請求項１によれば、操作機能付与手段が設けられる。この操作機能付与手段により、前記操作ボタンは、前記表示部において前記全体設定画面が表示されているか前記端末設定画面が表示されているかに応じて、互いに異なる複数の操作機能を選択的に実現する。特に、表示部が前記全体設定画面を表示している場合には、操作ボタンは、前記温調システム全体の運転開始・停止を指示する機能を有する。これにより、従来構造における前記全体操作リモコンに備えられる機能と前記端末操作リモコンに備えられる機能とを統合した場合であっても、前記全体操作リモコンと同様、操作ボタンの操作によって前記温調システム全体の運転開始・停止を確実に指示することができる。また、その際、表示部において前記端末設定画面が表示されている場合には、前記操作ボタンの操作によって、前記温調システム全体の運転開始・停止とは別の操作機能を実現することができるので、ユーザにとっての利便性を向上することができる。
【００１５】
また、請求項２によれば、ユーザが比較的大きな操作労力（第２操作労力以上）で操作ボタンを操作した場合に限定して、前記温調システム全体の運転開始・停止を可能とする。これにより、ユーザによる不用意な誤操作を防止することができる。
【００１６】
また、請求項３によれば、比較的大きな操作労力（第２操作労力以上）で操作ボタンを操作した場合に限って前記温調システム全体の運転開始・停止が可能であることを、ユーザに認識させることができる。
【００１７】
また、請求項４によれば、前記端末設定画面の表示時に実現される前記別の操作機能として、当該端末設定画面に対応する前記室内端末機の運転開始・停止を指示することができる。この結果、ユーザにとっての利便性を確実に向上することができる。
【００１８】
また、請求項５によれば、前記端末設定画面の表示時において、ユーザが操作ボタンを比較的小さな操作労力（第２操作労力未満）で操作した場合に限定して、当該端末設定画面に対応する前記室内端末機の運転開始・停止を指示することができる。この結果、操作ボタンを比較的大きな操作労力（第２操作労力以上）で操作した場合には、前記とは別の操作機能を実現可能となり、これによってもユーザの利便性を向上することができる。
【００１９】
また、請求項６によれば、当該リモコンによって複数の室内端末機を操作可能に構成されている場合に、前記端末設定画面の表示時にユーザが操作ボタンを比較的大きな操作労力（第２操作労力以上）で操作した場合に、前記複数の前記室内端末機すべての運転開始・停止を一括して指示することができる。すなわちこの場合、結果として、１つの操作ボタンに対し、互いに異なる３つの操作機能（全体設定画面表示時における温調システム全体の運転開始・停止指示機能、端末設定画面表示時における表示画面対応の室内端末機の運転開始・停止指示機能及び複数の前記室内端末機すべての運転開始・停止一括指示機能）が選択的に付与されることとなる。これにより、ユーザの利便性をさらに確実に向上することができる。
【００２０】
また、請求項７によれば、リモコンが、自らが備えた記憶手段に記憶された相関を利用することで、簡便な手法で、前記操作ボタンに対し複数の操作機能を選択的に付与することができる。
【図面の簡単な説明】
【００２１】
【図１】本発明の一実施形態の温調システムが適用される家屋の間取り図
【図２】温調システムの全体概略構成を示す図
【図３】室外機の冷房・暖房運転時における冷凍サイクルを模式的に表した図
【図４】３つの室内端末機を操作するリモコン装置の外観構造を表す図
【図５】２つの室内端末機を操作するリモコン装置の外観構造を表す図
【図６】１つの室内端末機を操作するリモコン装置の外観構造を表す図
【図７】各リモコン装置の各設定画面の表示状態における「運転／停止」ボタンの操作態様と、各操作態様により選択的に実現される各種機能との相関を表す図
【図８】リモコン装置の表示部における画面遷移の例を表す図
【図９】リモコン装置の表示部における画面遷移の例を表す図
【図１０】リモコン装置の表示部における画面遷移の例を表す図
【図１１】リモコン装置の表示部における画面遷移の例を表す図
【図１２】リモコン装置の表示部における画面遷移の例を表す図
【図１３】リモコン装置のＣＰＵにより実行される制御手順を表すフローチャート図
【図１４】リモコン装置のＣＰＵにより実行される制御手順を表すフローチャート図
【図１５】リモコン装置のＣＰＵにより実行される制御手順を表すフローチャート図
【図１６】リモコン装置を用いたユーザの実際の操作例を表す説明図
【図１７】リモコン装置を用いたユーザの実際の操作例を表す説明図
【発明を実施するための形態】
【００２２】
次に、本発明の一実施の形態を図１〜図１７に基づいて説明する。
【００２３】
本実施形態の温調システムの全体概略構成を図１及び図２により説明する。この温調システムＳは、図１に示す２階建ての住宅（１階に、洋室Ｒ１Ａと、リビングＲ１Ｂと、ダイニングＲ１Ｃと、キッチンＲ１Ｄとを備え、２階に、子供部屋Ｒ２Ａ、Ｒ２Ｂと、寝室Ｒ２Ｃと、洋室Ｒ２Ｄと、を備える）に設けられている。そして、この温調システムＳは図２に示すように、室外に設置される室外機１（熱源機に相当）と、この室外機１に対して、主往き管２及び冷温水往き管１６２，２６２，３６２、並びに、主戻り管３及び冷温水戻り管１６３，２６３，３６３、を介して接続される複数の室内端末機（この例では、２つの冷温水パネル２５１，３５１、２つの暖房パネル２５２，３５２、４つの床暖房パネル１５３，１５３，１５３，３５３）と、を有する。このとき、前記冷温水往き管１６２，２６２，３６２の上流側部分が、図示しない共通の１つの往き管ヘッダに接続されており、その往き管ヘッダの上流側が、１つの前記主往き管２に統合されている。同様に、前記冷温水戻り管１６３，２６３，３６３の下流側部分が、図示しない共通の１つの前記戻り管ヘッダに接続されており、その戻り管ヘッダの下流側が、１つの前記主戻り管３に統合されている。なお、前記した主往き管２及び冷温水往き管１６２，２６２，３６２、並びに、主戻り管３及び冷温水戻り管１６３，２６３，３６３が、各請求項記載の管路に相当している。
【００２４】
まず、前記１階洋室Ｒ１Ａ、前記２階洋室Ｒ２Ｄ、及び、前記２階寝室Ｒ２Ｃ（以下適宜、これら３室を総称して「１階洋室Ｒ１Ａ等」という）には、図１及び図２に示すように、それぞれ、床暖房パネル１５３が設けられており、３つの床暖房パネル１５３それぞれへの端末回路が構築されている。各端末回路においては、前記主往き管２から分岐して延びる前記冷温水往き管１６２に、前記室外機１からの冷温水が当該主往き管２を介して供給される。そして、前記主戻り管３へと延びる前記冷温水戻り管１６３が、前記床暖房パネル１５３から導入された冷温水を当該主戻り管３を介して前記室外機１へと戻す。そして、前記床暖房パネル１５３への冷温水往き管１６２には、熱動弁コントローラＣＶ１からの駆動信号により開閉可能な熱動弁Ｖ１が設けられている。
【００２５】
このとき、１階洋室Ｒ１Ａに配置された前記床暖房パネル１５３の放熱（暖房）運転操作を実行可能なリモコン装置５１Ａが、例えば当該１階洋室Ｒ１Ａの壁面等に設けられ、２階洋室Ｒ２Ｄに配置された前記床暖房パネル１５３の放熱（暖房）運転操作を実行可能なリモコン装置５１Ｂが、例えば当該２階洋室Ｒ２Ｄの壁面等に設けられ、２階寝室Ｒ２Ｃに配置された前記床暖房パネル１５３の放熱（暖房）運転操作を実行可能なリモコン装置５１Ｃが、例えば当該２階寝室Ｒ２Ｃの壁面等に設けられている。
【００２６】
前記リモコン装置５１Ａ，５１Ｂ，５１Ｃでの操作に対応して出力される制御信号Ｓ１は、それぞれ、対応する前記端末回路に設けられた前記熱動弁コントローラＣＶ１に出力され、これに応じて当該熱動弁コントローラＣＶ１から出力される制御信号Ｓ１１によって、対応する前記端末回路の熱動弁Ｖ１の開閉動作が制御される。これにより、前記リモコン装置５１Ａを適宜に操作することで前記１階洋室Ｒ１Ａに配置された前記床暖房パネル１５３の運転状態を制御可能となり、前記リモコン装置５１Ｂを適宜に操作することで前記２階洋室Ｒ２Ｄに配置された前記床暖房パネル１５３の運転状態を制御可能となり、前記リモコン装置５１Ｃを適宜に操作することで前記２階寝室Ｒ２Ｃに配置された前記床暖房パネル１５３の運転状態を制御可能となる。なお、熱動弁コントローラＣＶ１と前記室外機１の制御を行う室外機制御部（後述）との間は双方向通信可能に接続されており、前記制御信号Ｓ１に対応する制御信号ＳＳ１が室外機制御部へと入力され、これによって前記冷温水往き管１６２へ供給される冷温水の流量や温度等が制御される。
【００２７】
また、図１及び図２に示すように、２階子供室Ｒ２Ａには冷温水パネル２５１が設けられ、２階子供室Ｒ２Ｂには暖房パネル２５２が設けられている。すなわち、前記主往き管２から分岐して延びる前記冷温水往き管２６２の途中に１つの往きヘッダ２９１が設けられており、冷温水往き管２６２のうち前記往きヘッダ２９１より上流側部分は、１つの共通往き管２６２Ａとして構成され、前記室外機１からの冷温水が当該主往き管２を介して供給される。そして、冷温水往き管２６２のうち前記往きヘッダ２９１より下流側部分は、前記子供室Ｒ２Ａに配置された前記冷温水パネル２５１への往き管２６２Ｂ１と、前記子供室Ｒ２Ｂに配置された前記暖房パネル２５２への往き管２６２Ｂ２とに分かれている。同様に、前記主戻り管３へと延びる前記冷温水戻り管２６３の途中に１つの戻りヘッダ２９２が設けられており、冷温水戻り管２６３のうち前記戻りヘッダ２９２より上流側部分は、前記冷温水パネル２５１からの戻り管２６３Ｂ１と、前記暖房パネル２５２からの戻り管２６３Ｂ２とに分かれている。そして、冷温水戻り管２６３のうち前記戻りヘッダ２９２より下流側部分は、１つの共通戻り管２６３Ａとして構成され、前記戻り管２６３Ｂ１，２６３Ｂ２を介し導入された冷温水を当該主戻り管３介し前記室外機１へと戻す。
【００２８】
そして、前記冷温水パネル２５１への往き管２６２Ｂ１、及び、前記暖房パネル２５２への往き管２６２Ｂ２には、熱動弁コントローラＣＶ２からの駆動信号により各往き管を開閉可能な熱動弁Ｖ２１，Ｖ２２がそれぞれ設けられている。このとき、前記冷温水パネル２５１の吸熱（冷房）及び放熱（暖房）運転操作と前記暖房パネル２５２の放熱（暖房）運転操作を実行可能な１つのリモコン装置５２が、例えば前記子供室Ｒ２Ａの壁面等に設けられている。前記リモコン装置５２での操作に対応して出力される制御信号Ｓ２は、前記熱動弁コントローラＣＶ２に出力され、これに応じて熱動弁コントローラＣＶ２から出力される制御信号Ｓ２１，Ｓ２２によって各熱動弁Ｖ２１，Ｖ２２の開閉動作が制御される。これにより、前記リモコン装置５２を適宜に操作することで前記冷温水パネル２５１及び前記暖房パネル２５２の運転状態を個別に制御可能となる。なお、熱動弁コントローラＣＶ２と前記室外機１の制御を行う室外機制御部（後述）との間は双方向通信可能に接続されており、前記制御信号Ｓ２に対応する制御信号ＳＳ２が室外機制御部へと入力され、これによって前記共通往き管２６２Ａへ供給される冷温水の流量や温度等が制御される。
【００２９】
さらに、図１及び図２に示すように、１階のリビングＲ１Ｂには冷温水パネル３５１が設けられ、１階のダイニングＲ１Ｃには暖房パネル３５２が設けられ、キッチンＲ１Ｄには床暖房パネル３５３が設けられている。すなわち、前記主往き管２から分岐して延びる前記冷温水往き管３６２の途中に１つの往きヘッダ３９１が設けられており、冷温水往き管３６２のうち前記往きヘッダ３９１より上流側部分は、１つの共通往き管３６２Ａとして構成され、前記室外機１からの冷温水が当該主往き管２を介して供給される。そして、冷温水往き管３６２のうち前記往きヘッダ３９１より下流側部分は、前記リビングＲ１Ｂに配置された前記冷温水パネル３５１への往き管３６２Ｂ１と、前記ダイニングＲ１Ｃに配置された前記暖房パネル３５２への往き管３６２Ｂ２と、前記キッチンＲ１Ｄに配置された前記床暖房パネル３５３への往き管３６２Ｂ３と、に分かれている。同様に、前記主戻り管３へと延びる前記冷温水戻り管３６３の途中に１つの戻りヘッダ３９２が設けられており、冷温水戻り管３６３のうち前記戻りヘッダ３９２より上流側部分は、前記冷温水パネル３５１からの戻り管３６３Ｂ１と、前記暖房パネル３５２からの戻り管３６３Ｂ２と、前記床暖房パネル３５３からの戻り管３６３Ｂ３と、に分かれている。そして、冷温水戻り管３６３のうち前記戻りヘッダ３９２より下流側部分は、１つの共通戻り管３６３Ａとして構成され、前記戻り管３６３Ｂ１，３６３Ｂ２，３６３Ｂ３を介し導入された冷温水を当該主戻り管３を介し前記室外機１へと戻す。
【００３０】
そして、前記冷温水パネル３５１への往き管３６２Ｂ１、前記暖房パネル３５２への往き管３６２Ｂ２、及び、前記床暖房パネル３５３への往き管３６２Ｂ３には、熱動弁コントローラＣＶ３からの駆動信号により各往き管を開閉可能な熱動弁Ｖ３１，Ｖ３２，Ｖ３３がそれぞれ設けられている。このとき、前記冷温水パネル３５１の吸熱（冷房）及び放熱（暖房）運転操作と前記暖房パネル３５２及び床暖房パネル３５３の放熱（暖房）運転操作を実行可能なリモコン装置５３が、例えば前記リビングの壁面等に設けられている。前記リモコン装置５３での操作に対応して出力される制御信号Ｓ３は、前記熱動弁コントローラＣＶ３に出力され、これに応じて熱動弁コントローラＣＶ３から出力される制御信号Ｓ３１，Ｓ３２，Ｓ３３によって各熱動弁Ｖ３１，Ｖ３２，Ｖ３３の開閉動作が制御される。これにより、前記リモコン装置５３を適宜に操作することで前記冷温水パネル３５１、前記暖房パネル３５２、及び前記床暖房パネル３５３の運転状態を個別に制御可能となる。なお、熱動弁コントローラＣＶ３と前記室外機１の制御を行う室外機制御部（後述）との間は双方向通信可能に接続されており、前記制御信号Ｓ３に対応する制御信号ＳＳ３が室外機制御部へと入力され、これによって前記共通往き管３６２Ａへ供給される冷温水の流量や温度等が制御される（詳細は後述）。
【００３１】
なお、前記した熱動弁コントローラＣＶ１，ＣＶ２，ＣＶ３が、各請求項記載の熱動弁制御部に相当している。
【００３２】
次に、前記室外機１の概略的なシステム構成を図３（ａ）に示す。図３（ａ）において、室外機１は、例えばＨＦＣなどの合成化合ガスを冷媒として循環させ室外での吸放熱を行う冷媒循環回路２１と、例えば不凍液などを冷温水として循環させ前記複数の室内端末機（前記の例では、２つの冷温水パネル２５１，３５１、２つの暖房パネル２５２，３５２、４つの床暖房パネル１５３，１５３，１５３，３５３）での吸放熱を行う、（前記主往き管２及び前記冷温水往き管１６２，２６２，３６２、並びに、前記主戻り管３及び前記冷温水戻り管１６３，２６３，３６３からなる）冷温水循環回路２２と、の間における熱交換を行うものである。
【００３３】
すなわち、前記冷媒循環回路２１は、前記室外機１に備えられた、前記冷媒の循環方向を切り替える四方弁６と、前記冷媒を圧縮する圧縮機７と、前記冷媒と外気との熱交換を行う室外熱交換器８と、前記冷媒を減圧膨張させる膨張弁９と、前記主往き管２及び前記主戻り管３を循環する前記冷温水と前記冷媒との熱交換を行う水−冷媒熱交換器１１とを、冷媒配管１５で接続して形成されている。なお、前記冷媒配管１５で互いに接続された前記四方弁６、前記圧縮機７、前記室外熱交換器８、前記膨張弁９によってヒートポンプ装置が構成されている。また、前記室外熱交換器８に送風する室外ファン１０がさらに設けられている。
【００３４】
前記四方弁６は４つのポートを備える弁であり、（前記冷媒配管１５の一部を構成する）冷媒主経路１５ａ用の２つのポートのそれぞれに対して、（前記冷媒配管１５の一部を構成する）他の冷媒副経路１５ｂ用の２つのポートのいずれに接続するかを切り替える。冷媒副経路１５ｂ用の２つのポートどうしはループ状に配置された冷媒副経路１５ｂで接続されており、この冷媒副経路１５ｂ上に前記圧縮機７が設けられている。
【００３５】
前記圧縮機７は、低圧ガス状態の冷媒を昇圧して高圧ガス状態にするとともに、室外機１内における冷媒配管１５全体の冷媒を循環させるポンプとしても機能する。
【００３６】
また、前記四方弁６の冷媒主経路１５ａ用の２つのポートどうしは、ループ状に配置された前記冷媒主経路１５ａで接続されており、この冷媒主経路１５ａ上に前記室外熱交換器８、前記膨張弁９、及び前記水−冷媒交換器１１が順に（図３（ａ）に示す例では冷媒主経路１５ａ左回りの順に）設けられている。
【００３７】
前記室外熱交換器８は、その内部を通過するガス状態の前記冷媒の温度が室外の外気温度より高い場合は、その冷媒の熱を放熱して液体状態に凝縮させる凝縮器として機能する。また、その内部を通過する液体状態の前記冷媒の温度が室外の外気温度より低い場合は外気の熱を冷媒に吸熱してガス状態に蒸発させる蒸発器として機能する（後述の図３（ｂ）参照）。
【００３８】
前記室外ファン１０は、前記室外熱交換器８に対して送風することで、室外熱交換器８の性能を向上させる。
【００３９】
前記膨張弁９は、高圧液体状態の前記冷媒を減圧膨張させて低圧液体状態とするよう機能する。
【００４０】
水−冷媒熱交換器１１は、前記のように冷媒主経路１５ａに接続されてその内部に冷媒を通過させるとともに、前記主往き管２及び前記主戻り管３にも接続されてその内部に冷温水を通過させる。水−冷媒熱交換器１１の内部を通過する液体状態の冷媒の温度が前記冷温水の温度より低い場合は、冷媒に対して冷温水の熱を吸熱しガス状態に蒸発させる蒸発器として機能する。また、水−冷媒熱交換器１１の内部を通過するガス状態の冷媒の温度が冷温水の温度より高い場合は、冷媒に対してその熱を冷温水に放熱し液体状態に凝縮させる凝縮器として機能する（後述の図３（ｂ）参照）。
【００４１】
一方、前記冷温水循環回路２２は、前記室外機１に備えられた、前記水−冷媒熱交換器１１、前記冷温水に循環圧力を加える循環ポンプ１２、及びシスターンタンク１３と、前記複数の室内端末機（前記の例では、２つの冷温水パネル２５１，３５１、２つの暖房パネル２５２，３５２、４つの床暖房パネル１５３，１５３，１５３，３５３）を、前記主往き管２及び前記冷温水往き管１６２，２６２，３６２、並びに、前記主戻り管３及び前記冷温水戻り管１６３，２６３，３６３で接続して形成されている。
【００４２】
前記水−冷媒熱交換器１１は、前記主往き管２及び前記主戻り管３に接続されており、前記主戻り管３上に、前記シスターンタンク１３及び前記循環ポンプ１２が設けられている。
【００４３】
前記シスターンタンク１３は、キャビテーションなどで冷温水中に生じた気泡の分離（気水分離機能）と、前記冷温水循環回路２２における膨張冷温水の吸収及び冷温水の補給を行う。
【００４４】
前記循環ポンプ１２は、前記主往き管２及び前記主戻り管３全体に冷温水を循環させるよう機能する。
【００４５】
なお、このとき、室外機１は、当該室外機１の制御を行う室外機制御部ＣＵ（熱源制御部に相当）を備えている。この室外機制御部は、主にＣＰＵ、ＲＯＭ、ＲＡＭ等を備えたマイクロコンピュータで構成され、前記リモコン装置５１，５２，５３からの前記制御信号Ｓ１，Ｓ２，Ｓ３に対応した前記熱動弁コントローラＣＶ１、ＣＶ２，ＣＶ３からの前記制御信号ＳＳ１，ＳＳ２，ＳＳ３に基づいて、室外機１全体（前記の圧縮機７、四方弁６、膨張弁９、室外ファン１０、循環ポンプ１２等）に対し公知の手法により適宜の制御を行う。
なお、前記の図２中においては、前記の熱動弁Ｖ１，Ｖ２１，Ｖ２２，Ｖ３１，Ｖ３２，Ｖ３３及び熱動弁コントローラＣＶ１，ＣＶ２，ＣＶ３が室外機１の外に配置されている場合を例にとって説明したが、これに限られない。すなわち、熱動弁Ｖ１，Ｖ２１，Ｖ２２，Ｖ３１，Ｖ３２，Ｖ３３を室外機１に内蔵することも可能である。この場合、熱動弁コントローラＣＶ１，ＣＶ２，ＣＶ３は省略されるとともに、前記室外機制御部ＣＵが熱動弁コントローラと同等の機能を有する（熱動弁制御部に相当）ことになる。
【００４６】
上記構成の冷媒循環回路２１において、前記圧縮機７は冷媒副経路１５ｂ上において一方向に冷媒を循環させるものであり、前記四方弁６の切り替えによって冷媒主経路１５ａ上の冷媒の循環方向を制御する。前記図３（ａ）は冷房運転時の循環方向を示しており、圧縮機７から吐出した冷媒が室外熱交換器８、膨張弁９、水−冷媒熱交換器１１の順で流通する。これにより、低温・低圧で吸入されたガス状態の冷媒が前記圧縮機７で圧縮されて高温・高圧のガスとなった後、前記室外熱交換器８（凝縮器として機能）において前記室外ファン１０の送風で冷却されることで外気に熱を放出しながら高圧の液体に変化する。こうして液体になった冷媒は前記膨張弁９で減圧されて低圧の液体となり蒸発しやすい状態となる。その後、低圧の液体が前記水−冷媒熱交換器１１（蒸発器として機能）において蒸発してガスに変化することで前記主戻り管３からの冷水から吸熱を行う。そして冷媒は、低温・低圧のガスとして再び前記圧縮機７へと戻る。
【００４７】
このとき、前記のようにして水−冷媒熱交換器１１で冷却された冷水は、主往き管２及び冷温水往き管１６２，２６２，３６２から前記複数の室内端末機（２つの冷温水パネル２５１，３５１、２つの暖房パネル２５２，３５２、４つの床暖房パネル１５３，１５３，１５３，３５３）のうち前記冷温水パネル２５１，３５１に供給されて室内空気から吸熱して室内を冷却し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空調の一種としての、室内空気の温度を下げる冷房運転が行われる。
【００４８】
一方、図３（ｂ）は暖房運転時の循環方向を示しており、圧縮機７から吐出した冷媒が水−冷媒熱交換器１１、膨張弁９、室外熱交換器８の順で流通する。これにより、低温・低圧で吸入されたガス状態の冷媒が前記圧縮機７で圧縮されて高温・高圧のガスとなった後、前記水−冷媒熱交換器１１（凝縮器として機能）において前記主戻り管３からの温水に熱を放出しながら高圧の液体に変化する。こうして液体になった冷媒は前記膨張弁９で減圧されて低圧の液体となり蒸発しやすい状態となる。その後、低圧の液体が前記室外熱交換器８（蒸発器として機能）において蒸発してガスに変化することで外気から吸熱する。そして冷媒は、低温・低圧のガスとして再び前記圧縮機７へと戻る。
【００４９】
このとき、前記のようにして水−冷媒熱交換器１１で加熱された温水は、主往き管２から前記複数の室内端末機（２つの冷温水パネル２５１，３５１、２つの暖房パネル２５２，３５２、４つの床暖房パネル１５３，１５３，１５３，３５３）のうち少なくとも１つに供給されて室内空気に放熱して室内を加温し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空調の一種としての、室内空気の温度を上げる暖房運転が行われる。
【００５０】
次に、前記リモコン装置５１Ａ，５１Ｂ，５１Ｃ，５２，５３の詳細について、説明する。
【００５１】
まず、図４（ａ）〜（ｄ）にリモコン装置５３（リモコンの一例に相当）の外観を示す。リモコン装置５３には、表示部２５０と、前記室内端末機の運転開始・停止を指示するための「運転／停止」ボタン２５３と、前記室内端末機に対しタイマーによる運転を指示するための「タイマー」ボタン２５４と、前記室内端末機の運転態様（冷房・暖房や通常モード・セーブモード等）の切替を指示する「運転切替」ボタン２５５と、画面表示を１つ前の画面に戻すための「戻る」ボタン２５７と、「メニュー／決定」ボタン２５８と、上下左右方向への十字キー２５９と、が備えられている。なお、前記「運転／停止」ボタン２５３、前記「タイマー」ボタン２５４、前記「運転切替」ボタン２５５、前記「戻る」ボタン２５７と、及び、前記「メニュー／決定」ボタン２５８が、各請求項記載の操作ボタンに相当している。以下適宜、これらを単に「操作ボタン２５３等」と称し、さらにこれら操作ボタン２５３等と上記十字キー２５９とを総称して、単に「操作部２５９等」と称する。また、図示を省略しているが、リモコン装置５３には、後述する各種の表示を行うための、表示制御手段としてのＣＰＵや記憶手段としてのメモリ等が内蔵されている。
【００５２】
前記表示部２５０は、前記ＣＰＵの制御により、複数の設定画面（後述の画面２０１〜２０３）を切替可能に表示することができる。すなわち、表示部２５０は、図４（ａ）に示す例では、温水・冷水の温度設定や冷房・暖房切替等を含む、前記温調システムＳ全体に係わる設定を行うための全体設定画面２００を表示（詳細内容は後述）している。また、図４（ｂ）に示す例では、表示部２５０は、前記リビングＲ１Ｂに設けられた冷温水パネル３５１の運転開始・停止設定を含む、当該冷温水パネル３５１に係わる設定を行うための端末設定画面２０１を表示（詳細内容は後述）している。さらに、図４（ｃ）に示す例では、表示部２５０は、前記ダイニングＲ１Ｃに設けられた暖房パネル３５２の運転開始・停止設定を含む、当該暖房パネル３５２に係わる設定を行うための端末設定画面２０２を表示（詳細内容は後述）している。さらに、図４（ｄ）に示す例では、表示部２５０は、前記キッチンＲ１Ｄに設けられた床暖房パネル３５３の運転開始・停止設定を含む、当該床暖房パネル３５３に係わる設定を行うための端末設定画面２０３を表示している。
【００５３】
このとき、前記表示部２５０に表示される各設定画面２００〜２０３のうち一方側端部又はその近傍の特定部位（この例では全体設定画面２００上部の左端）に、前記全体設定画面２００を選択するための、「メイン」表記のタブＴＭが上方へ突出するように設けられている。また、各設定画面２００〜２０３の前記特定部位以外の部分に、前記端末設定画面２０１を選択するための「Ａ」表記のタブＴＡ、前記端末設定画面２０２を選択するための「Ｂ」表記のタブＴＢ、前記端末設定画面２０３を選択するための「Ｃ」表記のタブＴＣが設けられている。詳細には、前記タブＴＡは、各設定画面２００〜２０３の上部左寄りに設けられ、前記タブＴＢは、各設定画面２００〜２０３の上部中央付近に設けられ、前記タブＴＣは、各設定画面２００〜２０３の上部右寄りに設けられている。これらタブＴＭ，ＴＡ，ＴＢ，ＴＣ（これらタブＴＭ及びタブＴＡ，ＴＢ，ＴＣ。以下適宜、単に「タブＴ」と総称する）は、前記の各設定画面２００〜２０３のうちいずれが表示されている状態においても操作可能にそれぞれ表示されており（図４（ａ）〜（ｄ）参照）、前記操作部２５９等を介し、前記タブＴＭ，ＴＡ，ＴＢ，ＴＣのいずれかを操作することにより、当該操作されたタブＴＭ，ＴＡ，ＴＢ，ＴＣを備えた前記設定画面２００〜２０３を表示することができる。但し、この例では、これらタブＴＭ，ＴＡ，ＴＢ，ＴＣのうちいずれか１つが選択されているとき、その選択されたタブＴから移動して選択できるのは、当該タブＴに隣接するタブＴに限定される。これに対応して、表示状態にある設定画面２００〜２０３に対応するタブＴＭ，ＴＡ，ＴＢ，ＴＣでは、上記ＣＰＵの制御により、図４（ａ）〜（ｄ）に示すように、各タブＴから移動可能な他のタブＴの位置の方向（配置される側）を表すように、上記「メイン」「Ａ」「Ｂ」「Ｃ」の表記それぞれの両サイドに、「▲（右向き）」「▲（左向き）」の表示が行われる。
例えば、図４（ｂ）に示すように、設定画面２０１で選択状態にあるタブＴＡについては、当該タブＴＡから移動して選択できるのはタブＴＭ及びタブＴＢだけであることから、タブＴＡの両サイドに、タブＴＭの側に対応した「▲（左向き）」の表示とタブＴＢの側に対応した「▲（右向き）」の表示とがそれぞれ行われる。
同様に、図４（ｃ）に示すように、設定画面２０２で選択状態にあるタブＴＢについては、当該タブＴＢから移動して選択できるのはタブＴＡ及びタブＴＣだけであることから、タブＴＢの両サイドに、タブＴＡの側に対応した「▲（左向き）」の表示とタブＴＣの側に対応した「▲（右向き）」の表示とがそれぞれ行われる。
一方、図４（ａ）に示すように、設定画面２００で選択状態にあるタブＴＭについては、当該タブＴＭから移動して選択できるのはタブＴＡだけであることから、タブＴＭの右側にのみ、タブＴＡの側に対応した「▲（右向き）」の表示のみが行われる。
同様に、図４（ｄ）に示すように、設定画面２０３で選択状態にあるタブＴＣについては、当該タブＴＣから移動して選択できるのはタブＴＢだけであることから、タブＴＣの左側にのみ、タブＴＢの側に対応した「▲（左向き）」の表示のみが行われる。
【００５４】
次に、図５（ａ）〜（ｃ）にリモコン装置５２（リモコンの一例に相当）の外観を示す。このリモコン装置５２は、前記表示制御手段としてのＣＰＵの制御に基づき表示される表示部２５０におけるタブの数（言い替えれば切り替え表示可能な設定画面の数）が異なる以外は、前記リモコン装置５３と同様の構成である。
【００５５】
すなわち、表示部２５０は、図５（ａ）に示す例では、前記と同様の前記温調システムＳ全体に係わる設定を行うための、前記タブＴＭを備えた全体設定画面２１０を表示する。また、図５（ｂ）に示す例では、表示部２５０は、前記子供室Ｒ２Ａに設けられた冷温水パネル２５１の運転開始・停止設定を含む、当該冷温水パネル２５１に係わる設定を行うための端末設定画面２１１を表示している。さらに、図５（ｃ）に示す例では、表示部２５０は、前記子供室Ｒ２Ｂに設けられた暖房パネル２５２の運転開始・停止設定を含む、当該暖房パネル２５２に係わる設定を行うための端末設定画面２１２を表示している。そして、前記図４と同様、図５に示すタブＴＭ，ＴＡ，ＴＢも、前記の各設定画面２１０〜２１２のうちいずれが表示されている状態においても操作可能にそれぞれ表示されており（図５（ａ）〜（ｃ）参照）、前記操作部２５９等を介し、前記タブＴＭ，ＴＡ，ＴＢのいずれかを操作することにより、当該操作されたタブＴＭ，ＴＡ，ＴＢを備えた前記設定画面２１０〜２１２を表示することができる。なお、図示のように、各タブＴＭ，ＴＡ，ＴＢの選択状態においては、前述と同様の「▲（右向き）」「▲（左向き）」の表示が行われる。
【００５６】
次に、図６（ａ）〜（ｂ）にリモコン装置５１Ａ，５１Ｂ，５１Ｃ（複数のリモコンに相当）の外観を示す。これらリモコン装置５１Ａ〜Ｃのそれぞれは、前記表示制御手段としてのＣＰＵの制御に基づき表示される表示部２５０におけるタブの数（言い替えれば切り替え表示可能な設定画面の数）が異なる以外は、前記リモコン装置５３，５２と同様の構成である。
【００５７】
すなわち、図６（ａ）に示す例では、表示部２５０は、前記と同様の前記温調システムＳ全体に係わる設定を行うための、前記タブＴＭを備えた全体設定画面２２０を表示する。
【００５８】
また、図６（ｂ）に示す例では、表示部２５０は、前記床暖房パネル１５３（リモコン装置５１Ａでは前記洋室Ｒ１Ａに設けた床暖房パネル１５３、リモコン装置５１Ｂでは前記洋室Ｒ２Ｄに設けた床暖房パネル１５３、リモコン装置５１Ｃでは前記寝室Ｒ２Ｃに設けた床暖房パネル１５３）の運転開始・停止設定を含む、当該床暖房パネル１５３に係わる設定を行うための端末設定画面２２１を表示している。そして、前記図４及び図５と同様、図６に示すタブＴＭ，ＴＡも、前記の各設定画面２２０，２２１のうちいずれが表示されている状態においても操作可能にそれぞれ表示されており（図６（ａ）〜（ｂ）参照）、前記操作部２５９等を介し、前記タブＴＭ，ＴＡのいずれかを操作することにより、当該操作されたタブＴＭ，ＴＡを備えた前記設定画面２２０，２２１を表示することができる。なお、図示のように、各タブＴＭ，ＴＡの選択状態においては、前述と同様の「▲（右向き）」「▲（左向き）」の表示が行われる。
【００５９】
ここで、前記リモコン装置５３では、前記したように、全体設定画面２００を表示することで前記温調システムＳ全体に係わる設定を行うとともに、端末設定画面２０１，２０２，２０３を表示することで対応する各室内端末機（冷温水パネル３５１、暖房パネル３５２，床暖房パネル３５３）に係わる設定を行う。同様に、前記リモコン装置５２では、全体設定画面２１０を表示することで前記温調システムＳ全体に係わる設定を行うとともに、端末設定画面２１１，２１２を表示することで対応する各室内端末機（冷温水パネル２５１、暖房パネル２５２）に係わる設定を行う。また前記リモコン装置５１では、全体設定画面２２０を表示することで前記温調システムＳ全体に係わる設定を行うとともに、端末設定画面２２１を表示することで対応する室内端末機（床暖房パネル１５３）に係わる設定を行う。
【００６０】
しかしながら、これらのように、１つのリモコン装置において温調システムＳ全体に係わる設定機能と室内端末機に係わる設定機能とを統合した場合、スペース上の制約により前記操作ボタン２５３等を配置できる数に限りがあり、各操作ボタンによって実現できる機能に限界が生じる。そのため、特に、温調システム全体Ｓの運転開始・停止を指示できる、従来の前記全体操作リモコンと同等の機能を、何らかの手法でリモコン装置５３，５２，５１で確実に実現する必要がある。
【００６１】
そこで、本実施形態では、前記ＣＰＵの制御により、特に、前記「運転／停止」ボタン２５３が押下操作されることで実現される機能を、各リモコン装置５３，５２，５１でどの設定画面（前記全体設定画面若しくは前記端末設定画面）が表示されているかに応じて、異ならせる（上記ＣＰＵの操作機能付与手段としての機能。詳細は後述）。特にこの例では、前記「運転／停止」ボタン２５３に対し、比較的操作労力が小さい通常の操作、例えばごく短時間（例えば０．０１秒）間の押し操作（第１操作労力に相当）又は当該０．０１秒間を超える時間の押し操作（以下適宜、それらの押し操作を単に「単押し操作」という）が行われたか、若しくは、前記通常の操作よりも操作労力の大きい、例えば３秒間の長押し操作（第２操作労力に相当）又は当該３秒間を超える時間の長押し操作が行われたか、によって、各設定画面ごとに実現される機能が変わる。それら実現される機能の一例を図７に一覧にして示す。
【００６２】
＜リモコン装置５３で実現される機能＞
図７に示すように、例えば前記リモコン装置５３の表示部２５０に前記端末設定画面２０１が表示されている状態では、前記ＣＰＵの制御により、前記「運転／停止」ボタン２５３が前記単押し操作されると、対応する室内端末機（すなわち前記冷温水パネル３５１）のＯＮ（運転開始。以下同様）・ＯＦＦ（運転停止。以下同様）の切り替えを行うことができる（後述の図８（ｅ）参照）。その一方、前記「運転／停止」ボタン２５３が前記長押し操作されると、当該リモコン装置５３により端末回路が制御される全室内端末機（すなわち前記の冷温水パネル３５１、暖房パネル３５２、床暖房パネル３５３）を一括してＯＮ・ＯＦＦ切り替えを行うことができる。
【００６３】
また同様に、前記リモコン装置５３の表示部２５０に前記端末設定画面２０２が表示されている状態では、前記ＣＰＵの制御により、前記「運転／停止」ボタン２５３が前記単押し操作されると、対応する室内端末機（すなわち前記暖房パネル３５２）のＯＮ・ＯＦＦ切り替えを行うことができる（後述の図１２（ｄ）参照）。その一方、前記「運転／停止」ボタン２５３が前記長押し操作されると、前記同様、当該リモコン装置５３により端末回路が制御される全室内端末機（冷温水パネル３５１、暖房パネル３５２、床暖房パネル３５３）を一括してＯＮ・ＯＦＦ切り替えすることができる。
【００６４】
さらに同様に、前記リモコン装置５３の表示部２５０に前記端末設定画面２０３が表示されている状態では、前記ＣＰＵの制御により、前記「運転／停止」ボタン２５３が前記単押し操作されると、対応する室内端末機（すなわち前記床暖房パネル３５３）のＯＮ・ＯＦＦ切り替えを行うことができる（後述の図１１（ｅ）参照）。その一方、前記「運転／停止」ボタン２５３が前記長押し操作されると、前記同様、当該リモコン装置５３により端末回路が制御される全室内端末機（冷温水パネル３５１、暖房パネル３５２、床暖房パネル３５３）を一括してＯＮ・ＯＦＦ切り替えすることができる。
【００６５】
なお、前記リモコン装置５３の表示部２５０に前記全体設定画面２００が表示されている状態では、前記ＣＰＵの制御により、前記「運転／停止」ボタン２５３が前記単押し操作されると、その操作では室内端末機を操作できない旨の警告メッセージ（後述の図１０（ａ）参照）が表示される。その一方、前記「運転／停止」ボタン２５３が前記長押し操作されると、温調システムＳ全体の全室内端末機（すなわち前記の３つの床暖房パネル１５３及び３５３と、冷温水パネル２５１及び３５１と、暖房パネル２５２及び３５２）を一斉にＯＮ・ＯＦＦ切り替えを行うことができる（後述の図９（ｃ）参照）。
【００６６】
＜リモコン装置５２で実現される機能＞
また、例えば前記リモコン装置５２の表示部２５０に前記端末設定画面２１１が表示されている状態では、前記ＣＰＵの制御により、前記「運転／停止」ボタン２５３が前記単押し操作されると、対応する室内端末機（すなわち前記冷温水パネル２５１）のＯＮ・ＯＦＦの切り替えを行うことができる。その一方、前記「運転／停止」ボタン２５３が前記長押し操作されると、当該リモコン装置５３により端末回路が制御される全室内端末機（すなわち前記の冷温水パネル２５１、暖房パネル２５２）を一括してＯＮ・ＯＦＦ切り替えを行うことができる。
【００６７】
また同様に、前記リモコン装置５２の表示部２５０に前記端末設定画面２１２が表示されている状態では、前記ＣＰＵの制御により、前記「運転／停止」ボタン２５３が前記単押し操作されると、対応する室内端末機（すなわち前記暖房パネル２５２）のＯＮ・ＯＦＦ切り替えを行うことができる。その一方、前記「運転／停止」ボタン２５３が前記長押し操作されると、前記同様、当該リモコン装置５３により端末回路が制御される全室内端末機（冷温水パネル２５１、暖房パネル２５２）を一括してＯＮ・ＯＦＦ切り替えすることができる。
【００６８】
なお、前記リモコン装置５２の表示部２５０に前記全体設定画面２１０が表示されている状態では、前記ＣＰＵの制御により、前記「運転／停止」ボタン２５３が前記単押し操作されると、前記と同様の警告メッセージが表示される。その一方、前記「運転／停止」ボタン２５３が前記長押し操作されると、前記同様、温調システムＳ全体の全室内端末機（すなわち前記の３つの床暖房パネル１５３及び３５３と、冷温水パネル２５１及び３５１と、暖房パネル２５２及び３５２）を一斉にＯＮ・ＯＦＦ切り替えを行うことができる。
【００６９】
＜リモコン装置５１Ａ〜Ｃで実現される機能＞
また、例えば前記リモコン装置５１Ａ〜Ｃそれぞれの表示部２５０に前記端末設定画面２２１が表示されている状態では、前記ＣＰＵの制御により、前記「運転／停止」ボタン２５３が前記単押し操作されると、対応する室内端末機（すなわち前記床暖房パネル１５３）のＯＮ・ＯＦＦの切り替えを行うことができる。前記「運転／停止」ボタン２５３が前記長押し操作された場合には、前記と同様、当該リモコン装置５１Ａ〜Ｃそれぞれにより端末回路が制御される全室内端末機（この場合は前記床暖房パネル１５３のみとなり、実質的に前記単押し操作時と同等となる）のＯＮ・ＯＦＦ切り替えを行うことができる。
【００７０】
なお、前記リモコン装置５１Ａ〜Ｃそれぞれの表示部２５０に前記全体設定画面２２０が表示されている状態では、前記ＣＰＵの制御により、前記「運転／停止」ボタン２５３が前記単押し操作されると、前記と同様の警告メッセージが表示される。その一方、前記「運転／停止」ボタン２５３が前記長押し操作されると、前記同様、温調システムＳ全体の全室内端末機（すなわち前記の３つの床暖房パネル１５３及び３５３と、冷温水パネル２５１及び３５１と、暖房パネル２５２及び３５２）を一斉にＯＮ・ＯＦＦ切り替えを行うことができる。
【００７１】
なお、この図７に示した内容は、対応する各リモコン装置５３，５２，５１Ａ〜Ｃの上記メモリ内に相関として記憶されている。そして、各リモコン装置５３，５２，５１Ａ〜Ｃの上記ＣＰＵが後述の図１３、図１４、図１５のフローによる処理を実行する際には、対応するメモリ内の前記相関を参照することで当該処理が実行される。
【００７２】
＜画面遷移の例＞
次に、前記のようにして、表示部２５０に表示する設定画面を切り替えることができる前記リモコン装置５１Ａ〜Ｃ，５２，５３のうち、前記表示制御手段としてのＣＰＵの制御によって表示部２５０において実現される、具体的な画面遷移の例（前記図７に示した、設定画面及び押下操作態様ごとに実現される異なる機能を含む）を、前記リモコン装置５３の場合を例にとって説明する。
【００７３】
まず、前記リモコン装置５３において、図示しないスイッチ等により電源が投入された後の状態を図８（ａ）に示す。図示のように、リモコン装置５３の表示部２５０は、電源投入直後においては、（前記全体設定画面２００でなく）端末設定画面２０１〜２０３のうち予め定められたいずれか１つ、この例では前記端末設定画面２０１が表示される。
【００７４】
このとき、端末設定画面２０１は、中央に配置され、対応する室内端末機（この例では前記冷温水パネル３５１。以下同様）の運転状態を表す運転状態表示領域２０１Ａと、右端に配置され、前記冷温水パネル３５１に供給される冷温水の温度レベルを表示する冷温水レベル表示領域２０１Ｃと、前記運転状態表示領域２０１Ａと前記冷温水レベル表示領域２０１Ｃとの間に配置され、前記冷温水レベル表示領域２０１Ｃでの温度レベルをインジケータ表示するインジケータ領域２０１Ｂと、を備えている。
【００７５】
図示の例では、前記運転状態表示領域２０１Ａには、リビングＲ１Ｂに設けられた前記冷温水パネル３５１に対し前記室外機１からの温水により暖房が実行可能な設定状態であるものの、暖房運転が行われていない状態を表す「リビング  温水暖房  停止」の表示がなされている。また前記冷温水レベル表示領域２０１Ｃには、暖房時における温水の前記温度レベル（前記熱動弁Ｖ３１の開閉タイミングに対応している）が、例えば１０段階のうち５段階目に予め（可変に）設定されていることを表す「５」が表示され、前記インジケータ領域２０１Ｂには、それに対応するインジケータ表示が行われている。
【００７６】
なおこのとき、前述したように、「メイン」表記のタブＴＭ、「Ａ」表記のタブＴＡ、「Ｂ」表記のタブＴＢ、「Ｃ」表記のタブＴＣが、操作可能にそれぞれ表示されている。そしてそれらのうち前記タブＴＡには、対応する前記室内端末機（この例では前記冷温水パネル３５１）の運転状態を表す状態表示部ＤＡ（この例では停止状態である「ＯＦＦ」表記）が設けられ、前記タブＴＢには、対応する前記室内端末機（この例では前記暖房パネル３５２）の運転状態を表す状態表示部ＤＢ（この例では停止状態である「ＯＦＦ」表記）が設けられ、前記タブＴＣには、対応する前記室内端末機（この例では前記床暖房パネル３５３）の運転状態を表す状態表示部ＤＣ（この例では停止状態である「ＯＦＦ」表記）が設けられている。なお、詳細な説明を省略するが、他のリモコン装置５２，５１Ａ，５１Ｂ，５１Ｃにおいても同様の構成となっている。
【００７７】
前記図８（ａ）に示した状態から、前記十字キー２５９の左向き▲キーに対し前記長押し操作を行うことで、図８（ｂ）に示す前記全体設定画面２００へ移行する。なお、この例では、前記リモコン装置５３における前記端末設定画面２０１から前記全体設定画面２００への移行を例に取っているが、他の前記端末設定画面２０２，２０３から前記全体設定画面２００への移行においても、前記タブＴＭに対し前記同様の３秒間以上の長押し操作がなされた場合に限り実行される。さらに、詳細な説明を省略するが、前記リモコン装置５２における前記端末設定画面２１１，２１２から前記全体設定画面２１０への移行（図５参照）や、前記リモコン装置５１Ａ〜Ｃにおける前記端末設定画面２２１から前記全体設定画面２２０への移行についても、対応する前記タブＴＭに対し前記同様の３秒間以上の長押し操作がなされた場合に限り実行される。
【００７８】
図８（ｂ）において、前記全体設定画面２００は、中央に配置され、前記温調システムＳ全体の運転状態を表す運転状態表示領域２００Ａと、右端に配置され、前記室外機１から温調システムＳ全体に供給される冷温水の温度設定（ユーザが前記操作部２５９等を用いて設定可能）を表示する温度設定表示領域２００Ｃと、前記運転状態表示領域２００Ａの下部に配置され、前記温調システムＳに配置されかつ当該リモコン装置５３の操作対象ではない前記室内端末機（例えば、前記リモコン装置５２により操作される前記冷温水パネル２５１や暖房パネル２５２、前記リモコン装置５１Ａ〜Ｃにより操作される前記床暖房パネル１５３等）の運転状態を表示する、他機表示領域２００Ｂと、を備えている。
【００７９】
図示の例では、前記運転状態表示領域２００Ａには、前記室外機１から温水を供給し温調システムＳ全体として暖房運転可能な設定状態であるものの、まだ暖房運転が行われていない状態を表す「温水暖房  停止」の表示がなされている。また前記温度設定表示領域２００Ｃには、暖房用にユーザが予め（可変に）設定した温水の前記温度設定「４０℃」が表示されている。また、前記他機表示領域２００Ｂには、前記操作対象ではない室内端末機（以下適宜、「非対象端末機」という）が運転されていないことを表す「他機  ＯＦＦ」の表示がなされている。なおこのとき、前記非対象端末機に関する前記他機表示領域２００Ｂでは、前記した冷温水パネル２５１、暖房パネル２５２、床暖房パネル１５３等のうちいずれか１つでも運転されていれば「ＯＮ」で、全てが停止状態にある場合に限り「ＯＦＦ」と表示しても良い。あるいは、予め定められた特定の少なくとも１つの前記非対象端末機（例えば前記冷温水パネル２５１）が運転されていれば「ＯＮ」、停止状態にあれば「ＯＦＦ」と表示しても良い。なお、詳細な説明を省略するが、他のリモコン装置５２，５１Ａ，５１Ｂ，５１Ｃの全体設定画面２１０，２２０においても、同様の他機表示領域が備えられている。
【００８０】
前記図８（ｂ）に示した状態から、前記「運転切替」ボタン２５５が操作されると、前記全体設定画面２００は、図８（ｃ）に示す状態へ移行する。図示のように、前記「運転切替」ボタン２５５の操作により、前記運転状態表示領域２００Ａは、前記室外機１から冷水を供給し温調システムＳ全体として冷房運転可能な設定状態で、かつ当該冷房運転がまだ行われていない状態を表す「冷水冷房  停止」の表示に切り替わる。同様に、前記温度設定表示領域２００Ｃは、冷房用にユーザが予め（可変に）設定した冷水の前記温度設定「１５℃」が表示されている。
【００８１】
前記図８（ｃ）に示した状態から、前記十字キー２５９の右向き▲キーを短い所定時間だけ押下して前記タブＴＡを操作することで、図８（ｄ）に示す前記端末設定画面２０１へ再び移行する。このとき、前記右向き▲キーへの前記所定時間分の操作として前記単押し操作が行われると、前記移行が行われる。
【００８２】
あるいは、前記図８（ｃ）のように前記全体設定画面２００が表示され、かつ前記操作部２５９等による操作のない状態（以下適宜、単に「非操作状態」という）が、予め定められた所定時間（例えば１０分間）継続したか否か、が前記ＣＰＵによって判定され、その判定が満たされたとき（言い替えれば非操作状態が１０分以上になったとき）、前記図８（ｃ）に示した状態から前記図８（ｄ）の前記端末設定画面２０１へ移行するようにしてもよい。なお、他のリモコン装置５２，５１Ａ，５１Ｂ，５１Ｃの前記全体設定画面２１０，２２０においても同様である。
【００８３】
図８（ｄ）において、前記端末設定画面２０１では、前記した「運転切替」ボタン２５５の操作によって、前記運転状態表示領域２０１Ａは、リビングＲ１Ｂに設けられた前記冷温水パネル３５１に対し前記室外機１からの冷水により冷房が実行可能な設定状態であるものの、冷房運転が行われていない状態を表す「リビング  冷水冷房  停止」の表示に切り替わっている。また前記冷温水レベル表示領域２０１Ｃでは、冷房時における冷水の前記温度レベル（前記熱動弁Ｖ３１の開閉タイミングに対応している）が、例えば１０段階のうち５段階目であることを表す「５」が表示され、前記インジケータ領域２０１Ｂには、それに対応するインジケータ表示が行われている。
【００８４】
前記図８（ｄ）に示した状態から、前記「運転／停止」ボタン２５３に対し前記単押し操作が行われると、前記端末設定画面２０１は、図８（ｅ）に示す状態へ移行する。図示のように、前記「運転／停止」ボタン２５３の単押し操作により、前記運転状態表示領域２０１Ａは、前記室外機１から冷水が供給されてリビングＲ１Ｂの前記冷温水パネル３５１の冷房運転が開始され、かつその際の前記冷温水パネル３５１に対して各種の設定を行える状態を表す「リビング  冷水冷房  運転中」の表示に切り替わる。この例では、前記冷温水レベル表示領域２０１Ｃにおいて、前記冷房運転により供給される冷水の温度レベルが、前記図８（ｄ）に引き続き「５」に設定されている。また、状態表示部ＤＡは、「ＯＦＦ」表記から「ＯＮ」表記に切り替わっている。
【００８５】
前記図８（ｅ）に示した状態から、前記十字キー２５９の左向き▲キーが操作（前記長押し操作）されると、図９（ａ）に示す前記全体設定画面２００へ移行する。図９（ａ）に示すように、この例では、前記運転状態表示領域２００Ａに、前記室外機１から冷水を供給し温調システムＳ全体として冷房運転が行われている状態を表す「冷水冷房  運転中」の表示がなされている。また前記温度設定表示領域２００Ｃには、前記した冷房用に予め設定された冷水の前記温度設定「１５℃」が表示されている。また、前記他機表示領域２００Ｂには、前記非対象端末機が運転されていないことを表す「他機  ＯＦＦ」の表示がなされている。
【００８６】
この図９（ａ）の状態から、前記十字キー２５９の▼キーが操作されると、前記全体設定画面２００は、図９（ｂ）に示す状態へ移行する。図示のように、前記▼キーの操作により、前記温度設定表示領域２００Ｃに表示される、前記冷房運転により温調システムＳ全体に供給されている冷水の温度設定が、前記図９（ａ）の「１５℃」から「１４℃」に１℃下がった状態に切り替わっている。
【００８７】
前記図９（ｂ）に示した状態から、前記「運転／停止」ボタン２５３に対し前記長押し操作が行われると、前記全体設定画面２００は、図９（ｃ）に示す状態へ移行する。図示のように、前記「運転／停止」ボタン２５３の長押し操作により、前記運転状態表示領域２００Ａは、前記室外機１からの冷水供給が停止し温調システムＳ全体として冷房運転が停止された状態になり、すなわち、温調システムＳ全体の全室内端末機（３つの床暖房パネル１５３及び３５３と、暖房パネル２５２，３５２と、冷温水パネル２５１，３５１）がすべて運転停止された状態を表す「冷水冷房  停止」の表示に切り替わる。これに伴い、前記状態表示部ＤＡは、「ＯＮ」表記から「ＯＦＦ」表記に切り替わっている。
【００８８】
前記図９（ｃ）に示した状態から、前記「運転／停止」ボタン２５３に対し前記単押し操作が行われると、前記全体設定画面２００は、図１０（ａ）に示す状態へ移行する。この例では、図示のように、メッセージ表示領域２００Ｄにおいて、当該単押し操作では室内端末機を操作できないことを報知するための、”メイン画面で操作する端末はありません”の警告メッセージが表示され、ガイド表示領域２００Ｅに”［戻る］でメッセージ画面を閉じます”のガイド表示が行われる。
【００８９】
この図１０（ａ）に示した状態から、前記「戻る」ボタン２５７を操作することで、図９（ｃ）と同等の図１０（ｂ）に示す全体設定画面２００へ移行する。あるいは、図１０（ａ）の状態で、かつ前記操作部２５９等による操作のない状態（以下適宜、単に「非操作状態」という）が、予め定められた所定時間（例えば１０秒間）継続したか否か、が前記ＣＰＵによって判定され、その判定が満たされたとき（言い替えれば非操作状態が１０秒以上になったとき）、図１０（ｂ）の前記全体設定画面２００へ移行するようにしてもよい。
【００９０】
一方、前記した画面遷移例とは異なる別の画面遷移例を図１１及び図１２により説明する。図１１（ａ）は、前記の図８（ａ）と同一の、電源投入直後の前記端末設定画面２０１を表している。
【００９１】
この図１１（ａ）に示した状態から、前記十字キー２５９の右向き▲キーを押下して前記タブＴＢを操作（前記単押し操作）することで、図１１（ｂ）に示す前記端末設定画面２０２へ移行する。図１１（ｂ）において、この端末設定画面２０２は、前記端末設定画面２０１と同様、中央に配置され対応する室内端末機（この例では前記暖房パネル３５２。以下同様）の運転状態を表す運転状態表示領域２０２Ａと、右端に配置され、前記暖房パネル３５２に供給される冷温水の温度レベルを表示する冷温水レベル表示領域２０２Ｃと、前記運転状態表示領域２０２Ａと前記冷温水レベル表示領域２０２Ｃとの間に配置され、前記冷温水レベル表示領域２０２Ｃでの温度レベルをインジケータ表示するインジケータ領域２０２Ｂと、を備えている。
【００９２】
図示の例では、前記運転状態表示領域２０２Ａには、ダイニングＲ１Ｃに設けられた前記暖房パネル３５２に対し前記室外機１からの温水により暖房が実行可能な設定状態であるものの、暖房運転が行われていない状態を表す「ダイニング  温水暖房  停止」の表示がなされている。また前記冷温水レベル表示領域２０２Ｃには、暖房時における温水の前記温度レベル（前記熱動弁Ｖ３２の開閉タイミングに対応している）が、例えば１０段階のうち５段階目であることを表す「５」が表示され、前記インジケータ領域２０２Ｂには、それに対応するインジケータ表示が行われている。
【００９３】
前記図１１（ｂ）に示した状態から、前記十字キー２５９の右向き▲キーを押下して前記タブＴＣを操作（前記単押し操作）することで、図１１（ｃ）に示す、前記端末設定画面２０３へ移行する。図１１（ｃ）において、この端末設定画面２０３は、前記端末設定画面２０１，２０２と同様、中央に配置され対応する室内端末機（この例では前記床暖房パネル３５３。以下同様）の運転状態を表す運転状態表示領域２０３Ａと、右端に配置され、前記床暖房パネル３５３に供給される冷温水の温度レベルを表示する冷温水レベル表示領域２０３Ｃと、前記運転状態表示領域２０３Ａと前記冷温水レベル表示領域２０３Ｃとの間に配置され、前記冷温水レベル表示領域２０３Ｃでの温度レベルをインジケータ表示するインジケータ領域２０３Ｂと、を備えている。
【００９４】
図示の例では、前記運転状態表示領域２０３Ａには、キッチンＲ１Ｄに設けられた前記床暖房パネル３５３に対し前記室外機１からの温水により暖房が実行可能な設定状態であるものの、暖房運転が行われていない状態を表す「キッチン  温水暖房  停止」の表示がなされている。また前記冷温水レベル表示領域２０３Ｃには、暖房時における温水の前記温度レベル（前記熱動弁Ｖ３３の開閉タイミングに対応している）が、例えば１０段階のうち５段階目であることを表す「５」が表示され、前記インジケータ領域２０３Ｂには、それに対応するインジケータ表示が行われている。
【００９５】
この図１１（ｃ）に示される状態から、前記「運転切替」ボタン２５５が操作されると、前記端末設定画面２０３は、図１１（ｄ）に示す状態へ移行する。図示のように、前記「運転切替」ボタン２５５の操作により、前記運転状態表示領域２０３Ａは、通常運転から（予め定められた）セーブモード運転の表示へ切り替わる。すなわち、キッチンＲ１Ｄの前記床暖房パネル３５３に対し前記室外機１からの温水によりセーブモードでの暖房が実行可能な設定状態であるものの暖房運転が行われていない状態を表す、「キッチン  暖房セーブ  停止」の表示に切り替わる。
【００９６】
前記図１１（ｄ）に示した状態から、前記「運転／停止」ボタン２５３に対し前記単押し操作が行われると、前記端末設定画面２０３は、図１１（ｅ）に示す状態へ移行する。図示のように、前記「運転／停止」ボタン２５３の単押し操作により、前記運転状態表示領域２０３Ａは、前記室外機１から温水が供給されてキッチンＲ１Ｄの前記床暖房パネル３５３の前記セーブモードでの暖房運転が開始され、かつその際の前記床暖房パネル３５３に対して各種の設定を行える状態を表す、「キッチン  暖房セーブ  運転中」の表示に切り替わる。この例では、前記冷温水レベル表示領域２０３Ｃにおいて、前記暖房運転により供給される温水の温度レベルが、前記図１１（ｄ）に引き続き「５」に設定されている。また、状態表示部ＤＡは、「ＯＦＦ」表記から「ＯＮ」表記に切り替わっている。
【００９７】
前記図１１（ｅ）に示した状態から、前記十字キー２５９の▼キーが操作されると、前記端末設定画面２０３は、図１２（ａ）に示す状態へ移行する。図示のように、前記▼キーの操作により、前記冷温水レベル表示領域２０３Ｃ及び前記インジケータ領域２０３Ｂに表示される、前記暖房運転により供給される温水の温度レベルが、前記図１１（ｅ）の「５」から「４」に１段階下がった状態に切り替わっている。
【００９８】
この図１２（ａ）に示した状態から、前記十字キー２５９の左向き▲キーを押下して前記タブＴＢを操作（前記単押し操作）することで、図１２（ｂ）に示す前記端末設定画面２０２へ移行する。図１２（ｂ）において、この端末設定画面２０２では、前記運転状態表示領域２０２Ａは、ダイニングＲ１Ｃの前記暖房パネル３５２に対し前記室外機１からの温水により前記セーブモードでの暖房が実行可能な設定状態であるものの（前記図１１（ｂ）での設定に引き続き）暖房運転が行われていない状態であることを表す「ダイニング  暖房セーブ  停止」の表示に切り替わる。なお前記冷温水レベル表示領域２０２Ｃでは、前記暖房運転により供給可能な温水の温度レベルが、引き続き前記図１１（ｂ）での設定どおりに「５」であることが表示されている。
【００９９】
この図１２（ｂ）の状態から、前記十字キー２５９の▼キーが操作されると、前記端末設定画面２０２は、図１２（ｃ）に示す状態へ移行する。図示のように、前記▼キーの操作により、前記冷温水レベル表示領域２０２Ｃ及び前記インジケータ領域２０２Ｂに表示される、前記暖房運転により供給可能な温水の温度レベルが、前記図１２（ｂ）の「５」から「４」に１段階下がった状態に切り替わっている。
【０１００】
前記図１２（ｃ）に示した状態から、前記「運転／停止」ボタン２５３対し前記単押し操作が行われると、前記端末設定画面２０２は、図１２（ｄ）に示す状態へ移行する。図示のように、前記「運転／停止」ボタン２５３の単押し操作により、前記運転状態表示領域２０２Ａは、前記「ダイニング  暖房セーブ  停止」の表示から、ダイニングＲ１Ｃの前記暖房パネル３５２に対し前記室外機１から温水が供給されて前記セーブモードでの暖房運転が開始され、かつその際の前記暖房パネル３５２に対して各種の設定を行える状態を表す、「ダイニング  暖房セーブ  運転中」の表示に切り替わる。この例では、前記冷温水レベル表示領域２０２Ｃにおいて、前記暖房運転により供給される温水の温度レベルが、前記図１２（ｃ）に引き続き「４」に設定されている。また、状態表示部ＤＢは、「ＯＦＦ」表記から「ＯＮ」表記に切り替わっている。
【０１０１】
この図１２（ｄ）に示される状態から、前記「運転切替」ボタン２５５が操作されると、前記端末設定画面２０２は、図１２（ｅ）に示す状態へ移行する。図示のように、前記「運転切替」ボタン２５５の操作により、前記運転状態表示領域２０２Ａは、前記セーブモードでの運転から前記通常運転の表示へと切り替わる。すなわち、ダイニングＲ１Ｃの前記暖房パネル３５２に対し前記室外機１からの温水が供給され、通常モードでの暖房運転が開始された状態を表す、「ダイニング  温水暖房  運転中」の表示に切り替わる。なお、前記冷温水レベル表示領域２０２Ｃでは、前記暖房運転により供給される温水の温度レベルが、前記図１２（ｄ）に引き続き「４」であることが表示されている。
【０１０２】
以上のように例を挙げて説明した処理を実現するために、前記のリモコン装置５３，５２，５１Ａ〜Ｃの上記ＣＰＵにより実行される制御手順を、図１３、図１４、図１５のフローチャートによりそれぞれ説明する。
【０１０３】
まず、図１３において、リモコン装置５３のＣＰＵは、ステップＳ１０５において、前記「運転／停止」ボタン２５３に対し前記単押し操作が行われたか否か、を判定する。単押し操作が行われていなければ判定が満たされず（Ｓ１０５：Ｎｏ）、後述のステップＳ１５０に移行する。単押し操作が行われていれば判定が満たされ（Ｓ１０５：Ｙｅｓ）、ステップＳ１１０に移る。
【０１０４】
ステップＳ１１０では、リモコン装置５３のＣＰＵは、この時点で、当該リモコン装置５３の前記表示部２５０に前記全体設定画面２００が表示されているか否かを判定する。全体設定画面２００が表示されていれば判定が満たされ（Ｓ１１０：Ｙｅｓ）、ステップＳ１１５で前記表示部２５０を制御して全体設定画面２００の前記メッセージ表示領域２００Ｄに前記警告メッセージを表示し、前記ステップＳ１０５へ戻って同様の手順を繰り返す。全体設定画面２００が表示されていなければ判定が満たされず（Ｓ１１０：Ｎｏ）、ステップＳ１２０に移る。
【０１０５】
ステップＳ１２０では、リモコン装置５３のＣＰＵは、この時点で、当該リモコン装置５３の前記表示部２５０に前記端末設定画面２０１が表示されているか否かを判定する。端末設定画面２０１が表示されていれば判定が満たされ（Ｓ１２０：Ｙｅｓ）、ステップＳ１２５に移る。ステップＳ１２５では、リモコン装置５３のＣＰＵは、リビングＲ１Ｂに設置された前記冷温水パネル３５１に対して前記ＯＮ・ＯＦＦの切り替え操作を実行する（すなわち結果的に、前記「運転／停止」ボタン２５３に対して前記冷温水パネル３５１のＯＮ・ＯＦＦ切り替え操作機能を付与している）。その後、このフローを終了する。一方、端末設定画面２０１が表示されていなければ前記判定が満たされず（Ｓ１２０：Ｎｏ）、ステップＳ１３０に移る。
【０１０６】
ステップＳ１３０では、リモコン装置５３のＣＰＵは、この時点で、当該リモコン装置５３の前記表示部２５０に前記端末設定画面２０２が表示されているか否かを判定する。端末設定画面２０２が表示されていれば判定が満たされ（Ｓ１３０：Ｙｅｓ）、ステップＳ１３５に移る。ステップＳ１３５では、リモコン装置５３のＣＰＵは、ダイニングＲ１Ｃに設置された前記暖房パネル３５２に対して前記ＯＮ・ＯＦＦの切り替え操作を実行する（すなわち結果的に、前記「運転／停止」ボタン２５３に対して前記暖房パネル３５２のＯＮ・ＯＦＦ切り替え操作機能を付与している）。その後、このフローを終了する。一方、端末設定画面２０２が表示されていなければ前記判定が満たされず（Ｓ１３０：Ｎｏ）、ステップＳ１４０に移る。
【０１０７】
ステップＳ１４０では、リモコン装置５３のＣＰＵは、この時点で、当該リモコン装置５３の前記表示部２５０に前記端末設定画面２０３が表示されているか否かを判定する。端末設定画面２０３が表示されていれば判定が満たされ（Ｓ１４０：Ｙｅｓ）、ステップＳ１４５に移る。ステップＳ１４５では、リモコン装置５３のＣＰＵは、キッチンＲ１Ｄに設置された前記床暖房パネル３５３に対して前記ＯＮ・ＯＦＦの切り替え操作を実行する（すなわち結果的に、前記「運転／停止」ボタン２５３に対して前記床暖房パネル３５３のＯＮ・ＯＦＦ切り替え操作機能を付与している）。その後、このフローを終了する。一方、端末設定画面２０３が表示されていなければ前記判定が満たされず（Ｓ１４０：Ｎｏ）、前記ステップＳ１０５に戻って同様の手順を繰り返す。
【０１０８】
一方、前記ステップＳ１０５の判定が満たされず移行したステップＳ１５０では、リモコン装置５３のＣＰＵは、前記「運転／停止」ボタン２５３に対し前記長押し操作が行われたか否か、を判定する。長押し操作が行われていなければ判定が満たされず（Ｓ１５０：Ｎｏ）、前記ステップＳ１０５に戻って同様の手順を繰り返す。長押し操作が行われていれば判定が満たされ（Ｓ１５０：Ｙｅｓ）、ステップＳ１５５に移る。
【０１０９】
ステップＳ１５５では、前記ステップＳ１１０と同様、リモコン装置５３のＣＰＵは、この時点で、当該リモコン装置５３の前記表示部２５０に前記全体設定画面２００が表示されているか否かを判定する。全体設定画面２００が表示されていれば判定が満たされ（Ｓ１５５：Ｙｅｓ）、ステップＳ１６０に移る。ステップＳ１６０では、リモコン装置５３のＣＰＵは、温調システムＳ全体に備えられた全室内端末機、すなわち、前記の３つの床暖房パネル１５３及び３５３と、冷温水パネル２５１及び３５１と、暖房パネル２５２及び３５２と、に対して、一斉に前記ＯＮ・ＯＦＦの切り替え操作を実行する（すなわち結果的に、前記「運転／停止」ボタン２５３に対して前記全室内端末機のＯＮ・ＯＦＦ切り替え操作機能を付与している）。その後、このフローを終了する。一方、全体設定画面２００が表示されていなければ前記判定が満たされず（Ｓ１５５：Ｎｏ）、ステップＳ１６５に移る。
【０１１０】
ステップＳ１６５では、リモコン装置５３のＣＰＵは、この時点で、当該リモコン装置５３の前記表示部２５０に前記端末設定画面２０１，２０２，２０３のいずれかが表示されているか否かを判定する。端末設定画面２０１，２０２，２０３のいずれかが表示されていれば判定が満たされ（Ｓ１６５：Ｙｅｓ）、ステップＳ１７０に移る。ステップＳ１７０では、リモコン装置５３のＣＰＵは、当該リモコン装置５３により端末回路が制御される全室内端末機（冷温水パネル３５１、暖房パネル３５２、床暖房パネル３５３）を一括してＯＮ・ＯＦＦ切り替え操作を実行する（すなわち結果的に、前記「運転／停止」ボタン２５３に対して冷温水パネル３５１、暖房パネル３５２、床暖房パネル３５３の一括ＯＮ・ＯＦＦ切り替え操作機能を付与している）。その後、このフローを終了する。一方、端末設定画面２０１，２０２，２０３のいずれも表示されていなければ前記判定が満たされず（Ｓ１６５：Ｎｏ）、前記ステップＳ１０５に戻って同様の手順を繰り返す。
【０１１１】
なお、図１３に示すフローのステップＳ１０５〜ステップＳ１７０の各手順を実行する上記リモコン装置５３のＣＰＵが、各請求項記載の表示制御手段として機能する。またそれらの手順のうち、ステップＳ１１５を除く、ステップＳ１０５、ステップＳ１１０、ステップＳ１２０〜ステップＳ１７０を実行する上記リモコン装置５３のＣＰＵが、各請求項記載の操作機能付与手段として機能する。
【０１１２】
次に、図１４において、前記ステップＳ１０５と同様、リモコン装置５２のＣＰＵは、ステップＳ２０５において、前記「運転／停止」ボタン２５３に対し前記単押し操作が行われたか否か、を判定する。単押し操作が行われていなければ判定が満たされず（Ｓ２０５：Ｎｏ）、後述のステップＳ２５０に移行する。単押し操作が行われていれば判定が満たされ（Ｓ２０５：Ｙｅｓ）、ステップＳ２１０に移る。
【０１１３】
ステップＳ２１０では、リモコン装置５２のＣＰＵは、この時点で、当該リモコン装置５２の前記表示部２５０に前記全体設定画面２１０が表示されているか否かを判定する。全体設定画面２１０が表示されていれば判定が満たされ（Ｓ２１０：Ｙｅｓ）、ステップＳ２１５で（前記ステップＳ１１５と同様に）前記表示部２５０を制御して全体設定画面２１０の前記メッセージ表示領域に前記警告メッセージを表示し、前記ステップＳ２０５へ戻って同様の手順を繰り返す。全体設定画面２１０が表示されていなければ判定が満たされず（Ｓ２１０：Ｎｏ）、ステップＳ２２０に移る。
【０１１４】
ステップＳ２２０では、リモコン装置５２のＣＰＵは、この時点で、当該リモコン装置５２の前記表示部２５０に前記端末設定画面２１１が表示されているか否かを判定する。端末設定画面２１１が表示されていれば判定が満たされ（Ｓ２２０：Ｙｅｓ）、ステップＳ２２５に移る。ステップＳ２２５では、リモコン装置５２のＣＰＵは、子供室Ｒ２Ａに設置された前記冷温水パネル２５１に対して前記ＯＮ・ＯＦＦの切り替え操作を実行する（すなわち結果的に、前記「運転／停止」ボタン２５３に対して前記冷温水パネル２５１のＯＮ・ＯＦＦ切り替え操作機能を付与している）。その後、このフローを終了する。一方、端末設定画面２１１が表示されていなければ前記判定が満たされず（Ｓ２２０：Ｎｏ）、ステップＳ２３０に移る。
【０１１５】
ステップＳ２３０では、リモコン装置５２のＣＰＵは、この時点で、当該リモコン装置５３の前記表示部２５０に前記端末設定画面２１２が表示されているか否かを判定する。端末設定画面２１２が表示されていれば判定が満たされ（Ｓ２３０：Ｙｅｓ）、ステップＳ２３５に移る。ステップＳ２３５では、リモコン装置５２のＣＰＵは、子供室Ｒ２Ｂに設置された前記暖房パネル２５２に対して前記ＯＮ・ＯＦＦの切り替え操作を実行する（すなわち結果的に、前記「運転／停止」ボタン２５３に対して前記暖房パネル２５２のＯＮ・ＯＦＦ切り替え操作機能を付与している）。その後、このフローを終了する。一方、端末設定画面２１２が表示されていなければ前記判定が満たされず（Ｓ２３０：Ｎｏ）、前記ステップＳ２０５に戻って同様の手順を繰り返す。
【０１１６】
一方、前記ステップＳ２０５の判定が満たされず移行したステップＳ２５０では、前記ステップＳ１５０と同様、リモコン装置５２のＣＰＵは、前記「運転／停止」ボタン２５３に対し前記長押し操作が行われたか否か、を判定する。長押し操作が行われていなければ判定が満たされず（Ｓ２５０：Ｎｏ）、前記ステップＳ２０５に戻って同様の手順を繰り返す。長押し操作が行われていれば判定が満たされ（Ｓ２５０：Ｙｅｓ）、ステップＳ２５５に移る。
【０１１７】
ステップＳ２５５では、前記ステップＳ２１０と同様、リモコン装置５２のＣＰＵは、この時点で、当該リモコン装置５２の前記表示部２５０に前記全体設定画面２１０が表示されているか否かを判定する。全体設定画面２１０が表示されていれば判定が満たされ（Ｓ２５５：Ｙｅｓ）、ステップＳ２６０に移る。ステップＳ２６０では、前記ステップＳ１６０と同様、リモコン装置５２のＣＰＵは、温調システムＳ全体に備えられた全室内端末機（前記の３つの床暖房パネル１５３及び３５３と、冷温水パネル２５１及び３５１と、暖房パネル２５２及び３５２）に対して、一斉に前記ＯＮ・ＯＦＦの切り替え操作を実行する（すなわち結果的に、前記「運転／停止」ボタン２５３に対して前記全室内端末機のＯＮ・ＯＦＦ切り替え操作機能を付与している）。その後、このフローを終了する。一方、全体設定画面２１０が表示されていなければ前記判定が満たされず（Ｓ２５５：Ｎｏ）、ステップＳ２６５に移る。
【０１１８】
ステップＳ２６５では、リモコン装置５２のＣＰＵは、この時点で、当該リモコン装置５２の前記表示部２５０に前記端末設定画面２１１，２１２のいずれかが表示されているか否かを判定する。端末設定画面２１１，２１２のいずれかが表示されていれば判定が満たされ（Ｓ２６５：Ｙｅｓ）、ステップＳ２７０に移る。ステップＳ２７０では、リモコン装置５２のＣＰＵは、当該リモコン装置５２により端末回路が制御される全室内端末機（冷温水パネル２５１、暖房パネル２５２）を一括してＯＮ・ＯＦＦ切り替え操作を実行する（すなわち結果的に、前記「運転／停止」ボタン２５３に対して冷温水パネル２５１、暖房パネル２５２の一括ＯＮ・ＯＦＦ切り替え操作機能を付与している）。その後、このフローを終了する。一方、端末設定画面２１１，２１２のいずれも表示されていなければ前記判定が満たされず（Ｓ２６５：Ｎｏ）、前記ステップＳ２０５に戻って同様の手順を繰り返す。
【０１１９】
なお、図１４に示すフローのステップＳ２０５〜ステップＳ２７０の各手順を実行する上記リモコン装置５２のＣＰＵが、各請求項記載の表示制御手段として機能する。またそれらの手順のうち、ステップＳ２１５を除く、ステップＳ２０５、ステップＳ２１０、ステップＳ２２０〜ステップＳ２７０を実行する上記リモコン装置５２のＣＰＵが、各請求項記載の操作機能付与手段として機能する。
【０１２０】
次に、図１５において、前記ステップＳ１０５及びステップＳ２０５と同様、リモコン装置５１Ａ〜ＣのＣＰＵは、ステップＳ３０５において、前記「運転／停止」ボタン２５３に対し前記単押し操作が行われたか否か、を判定する。単押し操作が行われていなければ判定が満たされず（Ｓ３０５：Ｎｏ）、後述のステップＳ３５０に移行する。単押し操作が行われていれば判定が満たされ（Ｓ３０５：Ｙｅｓ）、ステップＳ３１０に移る。
【０１２１】
ステップＳ３１０では、リモコン装置５１Ａ〜ＣのＣＰＵは、この時点で、当該リモコン装置５１Ａ〜Ｃの前記表示部２５０に前記全体設定画面２２０が表示されているか否かを判定する。全体設定画面２２０が表示されていれば判定が満たされ（Ｓ３１０：Ｙｅｓ）、ステップＳ３１５で（前記ステップＳ１１５及びステップＳ２１５と同様に）前記表示部２５０を制御して全体設定画面２２０の前記メッセージ表示領域に前記警告メッセージを表示し、前記ステップＳ３０５へ戻って同様の手順を繰り返す。全体設定画面２２０が表示されていなければ判定が満たされず（Ｓ３１０：Ｎｏ）、ステップＳ３２０に移る。
【０１２２】
ステップＳ３２０では、リモコン装置５１Ａ〜ＣのＣＰＵは、この時点で、当該リモコン装置５１Ａ〜Ｃの前記表示部２５０に前記端末設定画面２２１が表示されているか否かを判定する。端末設定画面２２１が表示されていれば判定が満たされ（Ｓ３２０：Ｙｅｓ）、ステップＳ３２５に移る。ステップＳ３２５では、リモコン装置５１Ａ〜ＣのＣＰＵは、洋室Ｒ１Ａ（又は洋室Ｒ２Ｄ若しくは寝室Ｒ２Ｃ）に設置された前記床暖房パネル１５３に対して前記ＯＮ・ＯＦＦの切り替え操作を実行する（すなわち結果的に、前記「運転／停止」ボタン２５３に対して前記床暖房パネル１５３のＯＮ・ＯＦＦ切り替え操作機能を付与している）。その後、このフローを終了する。一方、端末設定画面２２１が表示されていなければ前記判定が満たされず（Ｓ３２０：Ｎｏ）、前記ステップＳ３０５に戻って同様の手順を繰り返す。
【０１２３】
一方、前記ステップＳ３０５の判定が満たされず移行したステップＳ３５０では、前記ステップＳ１５０及びステップＳ２５０と同様、リモコン装置５１Ａ〜ＣのＣＰＵは、前記「運転／停止」ボタン２５３に対し前記長押し操作が行われたか否か、を判定する。長押し操作が行われていなければ判定が満たされず（Ｓ３５０：Ｎｏ）、前記ステップＳ３０５に戻って同様の手順を繰り返す。長押し操作が行われていれば判定が満たされ（Ｓ３５０：Ｙｅｓ）、ステップＳ３５５に移る。
【０１２４】
ステップＳ３５５では、前記ステップＳ３１０と同様、リモコン装置５１Ａ〜ＣのＣＰＵは、この時点で、当該リモコン装置５１Ａ〜Ｃの前記表示部２５０に前記全体設定画面２２０が表示されているか否かを判定する。全体設定画面２２０が表示されていれば判定が満たされ（Ｓ３５５：Ｙｅｓ）、ステップＳ３６０に移る。ステップＳ３６０では、前記ステップＳ１６０及びステップＳ２６０と同様、リモコン装置５１Ａ〜ＣのＣＰＵは、温調システムＳ全体に備えられた全室内端末機（前記の３つの床暖房パネル１５３及び３５３と、冷温水パネル２５１及び３５１と、暖房パネル２５２及び３５２）に対して、一斉に前記ＯＮ・ＯＦＦの切り替え操作を実行する（すなわち結果的に、前記「運転／停止」ボタン２５３に対して前記全室内端末機のＯＮ・ＯＦＦ切り替え操作機能を付与している）。その後、このフローを終了する。一方、全体設定画面２２０が表示されていなければ前記判定が満たされず（Ｓ３５５：Ｎｏ）、ステップＳ３６５に移る。
【０１２５】
ステップＳ３６５では、リモコン装置５１Ａ〜ＣのＣＰＵは、この時点で、当該リモコン装置５１Ａ〜Ｃの前記表示部２５０に前記端末設定画面２２１が表示されているか否かを判定する。端末設定画面２２１が表示されていれば判定が満たされ（Ｓ３６５：Ｙｅｓ）、ステップＳ３７０に移る。ステップＳ３７０では、リモコン装置５１Ａ〜ＣのＣＰＵは、当該リモコン装置５１Ａ〜Ｃにより端末回路が制御される全室内端末機を一括して（但しこの例では前記と同様に冷温水パネル１５３の１つのみ）ＯＮ・ＯＦＦ切り替え操作を実行する（すなわち結果的に、前記「運転／停止」ボタン２５３に対して冷温水パネル１５３の一括（但しこの場合は１端末機である）ＯＮ・ＯＦＦ切り替え操作機能を付与している）。その後、このフローを終了する。一方、端末設定画面２２１が表示されていなければ前記判定が満たされず（Ｓ３６５：Ｎｏ）、前記ステップＳ３０５に戻って同様の手順を繰り返す。
【０１２６】
なお、図１５に示すフローのステップＳ３０５〜ステップＳ３７０の各手順を実行する上記リモコン装置５１Ａ〜ＣのＣＰＵが、各請求項記載の表示制御手段として機能する。またそれらの手順のうち、ステップＳ３１５を除く、ステップＳ３０５、ステップＳ３１０、ステップＳ３２０〜ステップＳ３７０を実行する上記リモコン装置５１Ａ〜ＣのＣＰＵが、各請求項記載の操作機能付与手段として機能する。
【０１２７】
＜ユーザによる実際の操作例＞
次に、上記のような構成及び機能を備えたリモコン装置５３，５２，５１Ａ〜Ｃを用いた、ユーザによる実際の操作例を、図１６及び図１７により説明する。
【０１２８】
図１６（ａ）は、前記のようにして、前記温調システムＳ全体に備えられる全室内端末機、すなわち前記の３つの床暖房パネル１５３及び床暖房パネル３５３と、冷温水パネル２５１及び冷温水パネル３５１と、暖房パネル２５２及び暖房パネル３５２と、が暖房運転されていた状態で、外出により前記住宅が無人になる場合の例である。この場合、長時間の不在状態となることから、ユーザは、上記全室内端末機をすべてＯＦＦ（暖房運転の停止）にしたい、と希望する。
【０１２９】
このような場合には、ユーザは、前記リモコン装置５３，５２，５１Ａ〜Ｃのいずれかにおいて表示部２５０に全体設定画面２００，２１０，２２０のいずれかを表示させ（図１６（ａ）ではリモコン装置５１Ａで全体設定画面２２０を表示させた例を示している）、その状態で、前記「運転／停止」ボタン２５３に対し前記長押し操作を行えばよい。これにより、図１６（ｂ）に示すように、全室内端末機（前記の３つの床暖房パネル１５３及び床暖房パネル３５３と、冷温水パネル２５１及び冷温水パネル３５１と、暖房パネル２５２及び暖房パネル３５２）を一斉にＯＦＦ（暖房運転停止）とすることができる（図７及び図１５のステップＳ３６０等も参照）。
【０１３０】
また図１７（ａ）は、前記同様、前記温調システムＳ全体に備えられる全室内端末機、すなわち前記の３つの床暖房パネル１５３及び床暖房パネル３５３と、冷温水パネル２５１及び冷温水パネル３５１と、暖房パネル２５２及び暖房パネル３５２と、が暖房運転されていた状態で、前記住宅に家族で居住しているユーザである主婦が、２階の上記子供室Ｒ２Ａ，Ｒ２Ｂにいる子供を残して外出する場合の例である。この場合、上記子供室Ｒ２Ａ，Ｒ２Ｂの暖房運転は引き続き継続する必要があるため、上記全室内端末機をすべてＯＦＦ（暖房運転停止）することはできない。したがって、ユーザ（前記の主婦）は、節電のために、例えば上記子供のいない１階のＬＤＫ（リビングＲ１Ｂ、ダイニングＲ１Ｃ、キッチンＲ１Ｄ）の室内端末機（冷温水パネル３５１、暖房パネル３５２、床暖房パネル３５３）をＯＦＦ（暖房運転の停止）にしたい、と希望する。
【０１３１】
このような場合には、前記ユーザは、前記リモコン装置５３の表示部２５０において前記端末設定画面２０１，２０２，２０３のいずれかを表示させ（図１７（ａ）では端末設定画面２０１を表示させた例を示している）、その状態で、前記「運転／停止」ボタン２５３に対し前記長押し操作を行えばよい。これにより、図１７（ｂ）に示すように、当該リモコン装置５３により端末回路が制御される全室内端末機（すなわち前記の冷温水パネル３５１、暖房パネル３５２、床暖房パネル３５３）を一括してＯＦＦ（暖房運転停止）とすることができる（図７及び図１３のステップＳ１７０等も参照）。
【０１３２】
以上説明したように、本実施形態の温調システムＳによれば、室内端末機（前記の例では、３つの床暖房パネル１５３及び３５３と、冷温水パネル２５１及び３５１と、暖房パネル２５２及び３５２）を操作するために、リモコン装置５３，５２，５１Ａ〜Ｃが設けられる。そして、各リモコン装置５３，５２，５１Ａ〜Ｃの前記表示部２５０において、前記温調システムＳ全体に係わる設定を行うための全体設定画面２００，２１０，２２０と、前記複数の室内端末機に係わる設定をそれぞれ行うための複数の端末設定画面２０１〜２０３，２１１〜２１２，２２１と、が切り替え可能に表示される。これにより、当該温調システムＳ全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【０１３３】
このとき、前記のように従来構造の全体操作リモコンに相当する機能と端末操作リモコンに相当する機能とを両立させるために、リモコン装置５３，５２，５１Ａ〜ＣのＣＰＵの制御によって、操作ボタン２５３等（前記の例では特に前記「運転／停止」ボタン２５３）が、前記表示部２５０において前記全体設定画面２００，２１０，２２０が表示されているか前記端末設定画面２０１〜２０３，２１１〜２１２，２２１が表示されているかに応じて、互いに異なる複数の操作機能を選択的に実現する。特に、表示部２５０が前記全体設定画面２００，２１０，２２０を表示している場合には、前記「運転／停止」ボタン２５３は、前記温調システムＳ全体の運転開始・停止を指示する機能を有する（図７、図１３のステップＳ１６０、図１４のステップＳ２６０、図１５のステップＳ３６０等参照）。
【０１３４】
これにより、従来構造における前記全体操作リモコンに備えられる機能と前記端末操作リモコンに備えられる機能とを統合した場合であっても、前記全体操作リモコンと同様、操作ボタン２５３等（この例では前記「運転／停止」ボタン２５３）の操作によって温調システムＳ全体の運転開始・停止を確実に指示することができる。また、その際、表示部２５０において前記端末設定画面２０１〜２０３，２１１〜２１２，２２１が表示されている場合には、操作ボタン２５３等の操作によって、前記温調システムＳ全体の運転開始・停止とは別の操作機能を実現することができるので、ユーザにとっての利便性を向上することができる。
【０１３５】
また、本実施形態では特に、前記表示部２５０が前記全体設定画面２００，２１０，２２０を表示し、かつ、前記「運転／停止」ボタン２５３が長押し操作された場合に、前記温調システムＳ全体の冷房・暖房運転の開始・停止が実行される。このようにユーザが比較的大きな操作労力で前記「運転／停止」ボタン２５３を操作した場合に限定して、前記温調システムＳ全体の運転開始・停止を可能とする。これにより、ユーザによる不用意な誤操作を防止することができる。
【０１３６】
また、本実施形態では特に、表示部２５０において前記全体設定画面２００，２１０，２２０が表示され、かつ、前記「運転／停止」ボタン２５３に前記単押し操作が行われた場合には、前記”メイン画面で操作する端末はありません”の警告メッセージが表示される（図７、図１０（ａ）、図１３のステップＳ１１５、図１４のステップＳ２１５、図１５のステップＳ３１５等参照）。これにより、前記長押し操作で前記「運転／停止」ボタン２５３を操作した場合に限って前記温調システムＳ全体の冷房・暖房運転の開始・停止が可能であることを、ユーザに認識させることができる。
【０１３７】
また、本実施形態では特に、リモコン装置５３，５２，５１Ａ〜ＣのＣＰＵの制御によって、前記操作ボタン２５３等（前記の例では特に前記「運転／停止」ボタン２５３）は、前記表示部２５０において前記端末設定画面２０１〜２０３，２１１〜２１２，２２１が表示されている場合に、少なくとも当該端末設定画面２０１〜２０３，２１１〜２１２，２２１に対応する室内端末機の運転開始・停止を指示する機能を有する（図７、図１３のステップＳ１２５、ステップＳ１３５、ステップＳ１４５、ステップＳ１７０、図１４のステップＳ２２５、ステップＳ２３５、ステップＳ２７０、図１５のステップＳ３２５、ステップＳ３７０等参照）。これにより、ユーザにとっての利便性を確実に向上することができる。
【０１３８】
また、本実施形態では特に、表示部２５０が前記端末設定画面２０１〜２０３，２１１〜２１２，２２１を表示し、かつ、前記「運転／停止」ボタン２５３操作ボタンが単押し操作された場合に、当該端末設定画面２０１〜２０３，２１１〜２１２，２２１に対応する前記室内端末機の運転開始・停止を行うことができる。これにより、前記端末設定画面２０１〜２０３，２１１〜２１２，２２１の表示時において、ユーザが前記「運転／停止」ボタン２５３を単押し操作した場合に限定して、当該端末設定画面２０１〜２０３，２１１〜２１２，２２１に対応する前記室内端末機の運転開始・停止を指示することができる。この結果、前記「運転／停止」ボタン２５３を比較的大きな操作労力で操作した場合には、前記とは別の操作機能を実現可能となり、これによってもユーザの利便性を向上することができる。
【０１３９】
また、本実施形態では特に、表示部２５０が前記端末設定画面２０１〜２０３，２１１〜２１２，２２１を表示し、かつ、前記「運転／停止」ボタン２５３が長押し操作された場合に、当該リモコン装置５３，５２，５１Ａ〜Ｃに対応する全ての前記室内端末機の運転開始・停止を行うことができる。これにより、端末設定画面２０１〜２０３，２１１〜２１２，２２１の表示時にユーザが前記「運転／停止」ボタン２５３を長押し操作した場合に、前記リモコン装置５３，５２，５１Ａ〜Ｃに対応する全ての前記室内端末機の運転開始・停止を一括して指示することができる。
【０１４０】
すなわちこの場合、結果として、１つの前記「運転／停止」ボタン２５３を用いて、互いに異なる３つの操作機能（全体設定画面２００，２１０，２２０表示時における温調システムＳ全体の運転開始・停止指示機能、端末設定画面２０１〜２０３，２１１〜２１２，２２１表示時における表示画面対応の室内端末機の運転開始・停止指示機能及び当該リモコン装置５３，５２，５１Ａ〜Ｃが回路を制御する全室内端末機の運転開始・停止一括指示機能）が選択的に実行することができる。これにより、ユーザの利便性をさらに確実に向上することができる。
【０１４１】
また、本実施形態では特に、各リモコン装置５３，５２，５１Ａ〜ＣのＣＰＵが前記メモリに記憶された前記相関（図７参照）を参照することにより、前記「運転／停止」ボタン２５３における種々の操作機能が選択的に実行される。このように、リモコン装置５３，５２，５１Ａ〜Ｃが、自らが備えたメモリに記憶された前記相関を利用することで、簡便な手法で、前記「運転／停止」ボタン２５３において複数の操作機能を選択的に実現することができる。
【０１４２】
なお、上記においては、前記「運転／停止」ボタン２５３に対して操作するときにユーザが行う比較的大きな操作労力（第２操作労力）として、３秒以上の長押し操作を例示して説明したが、これに限られない。すなわち、所定時間以内に２回以上の単押し操作や２つ以上の異なるボタン（例えば、十字キーと「メニュー／決定」ボタン）の同時押し等であってもよい。すなわち、少なくとも、ユーザにとって前記第１操作労力よりも大きな労力負担となるものであれば足りる。
【０１４３】
また、例えば前記においては、冷暖房可能な端末として冷温水パネルのみを例にとって説明したが、これに限られず、冷暖房機能を備えた他の端末（吸放熱端末）を適用してもよい。また暖房専用端末として、暖房パネル、床暖房パネルのみを例にとって説明したが、これに限られず、暖房機能を備えた他の専用端末（放熱端末）を適用してもよい。
【符号の説明】
【０１４４】
１                室外機（熱源機）
２                主往き管（管路）
３                主戻り管（管路）
５１Ａ〜Ｃ        リモコン装置（リモコン）
５２              リモコン装置（リモコン）
５３              リモコン装置（リモコン）
１５３            床暖房パネル（室内端末機）
１６２            冷温水往き管（管路）
１６３            冷温水戻り管（管路）
２００            全体設定画面
２０１            端末設定画面
２０２            端末設定画面
２０３            端末設定画面
２１０            全体設定画面
２１１            端末設定画面
２１２            端末設定画面
２２０            全体設定画面
２２１            端末設定画面
２５０            表示部
２５１            冷温水パネル（室内端末機）
２５２            暖房パネル（室内端末機）
２５３            「運転／停止」ボタン（操作ボタン、操作部）
２５４            「タイマー」ボタン（操作ボタン、操作部）
２５５            「運転切替」ボタン（操作ボタン、操作部）
２５７            「戻る」ボタン（操作ボタン、操作部）
２５８            「メニュー／決定」ボタン（操作ボタン、操作部）
２５９            十字キー（操作部）
２６２            冷温水往き管（管路）
２６３            冷温水戻り管（管路）
３５１            冷温水パネル（室内端末機）
３５２            暖房パネル（室内端末機）
３５３            床暖房パネル（室内端末機）
３６２            冷温水往き管（管路）
３６３            冷温水戻り管（管路）
ＣＵ              室外機制御部（熱源制御部）
ＣＶ１〜３        熱動弁コントローラ（熱動弁制御部）
Ｓ                温調システム
Ｖ１              熱動弁
Ｖ２１，２２      熱動弁
Ｖ３１〜３３      熱動弁
【図１】
2019056495.tif 000003
【図２】
2019056495.tif 000004
【図３】
2019056495.tif 000005
【図４】
2019056495.tif 000006
【図５】
2019056495.tif 000007
【図６】
2019056495.tif 000008
【図７】
2019056495.tif 000009
【図８】
2019056495.tif 000010
【図９】
2019056495.tif 000011
【図１０】
2019056495.tif 000012
【図１１】
2019056495.tif 000013
【図１２】
2019056495.tif 000014
【図１３】
2019056495.tif 000015
【図１４】
2019056495.tif 000016
【図１５】
2019056495.tif 000017
【図１６】
2019056495.tif 000018
【図１７】
2019056495.tif 000019